(57)【要約】      （修正有）【課題】ホストによって撮影された映像を共有するゲストの注目度を利活用する装置、方法およびプログラムを提供する。【解決手段】注目度利活用装置（注目度利活用サーバ５０）は、取得部と、ランキング作成部とを含む。取得部は、ホストが展示会を撮影した映像データを共有するゲストの端末において取得された入力に基づいて算出された、展示会における複数の展示対象の注目度を取得する。ランキング作成部は、注目度に基づいて、複数の展示対象に関わるランキングを作成する。【選択図】図１０
2020150520.tif 000002
【特許請求の範囲】
【請求項１】
ホストが展示会を撮影した映像データを共有するゲストの端末において取得された入力に基づいて算出された、前記展示会における複数の展示対象の注目度を取得する取得部と、
前記注目度に基づいて、前記複数の展示対象に関わるランキングを作成するランキング作成部と
を具備する、注目度利活用装置。
【請求項２】
前記複数の展示対象の各々は、複数の出展主体のいずれかに関連付けられ、
前記ランキング作成部は、前記複数の出展主体の各々に関連付けられる展示対象の注目度を合算して当該出展主体のスコアを算出し、前記スコアの降順に前記複数の出展主体を配列して前記ランキングを作成する、
請求項１に記載の注目度利活用装置。
【請求項３】
前記複数の展示対象の各々は、第１の出展主体を含む複数の出展主体のいずれかに関連付けられ、
前記ランキング作成部は、前記注目度の降順に前記第１の出展主体に関連付けられる展示対象を配列して前記ランキングを作成する、
請求項１に記載の注目度利活用装置。
【請求項４】
ホストが展示会を撮影した映像データを共有するゲストの端末において取得された入力に基づいて算出された、前記展示会における複数の展示対象の注目度を取得する取得部と、
前記複数の展示対象のうち少なくとも１つを含む報告対象群を前記注目度に基づいて前記複数の展示対象から抽出する報告対象抽出部と、
前記報告対象群の関連情報の少なくとも一部を含むドキュメントを作成するドキュメント作成部と
を具備する、注目度利活用装置。
【請求項５】
前記注目度は、第１のゲストの前記複数の展示対象の第１の注目度を含み、
前記報告対象抽出部は、前記複数の展示対象のうち少なくとも１つを含む第１の報告対象群を前記第１の注目度に基づいて前記複数の展示対象から抽出し、
前記ドキュメント作成部は、前記第１の報告対象群の関連情報を含む第１のドキュメントを作成する、
請求項４に記載の注目度利活用装置。
【請求項６】
前記注目度は、同一の属性値を持つ第１のゲスト群の前記複数の展示対象の第１の注目度を含み、
前記報告対象抽出部は、前記複数の展示対象のうち少なくとも１つを含む第１の報告対象群を前記第１の注目度に基づいて前記複数の展示対象から抽出し、
前記ドキュメント作成部は、前記第１の報告対象群の関連情報を含む第１のドキュメントを作成する、
請求項４に記載の注目度利活用装置。
【請求項７】
ホストが展示会を撮影した映像データを共有するゲストの端末において取得された入力に基づいて算出された、前記展示会における複数の展示対象の注目度を取得する取得部と、
前記複数の展示対象のうち少なくとも１つを含む撮影対象群を前記注目度に基づいて前記複数の展示対象から抽出する撮影対象抽出部と、
前記撮影対象群の撮影を前記ホストに要求する要求データを生成する要求生成部と
を具備する、注目度利活用装置。
【請求項８】
コンピュータが、ホストが展示会を撮影した映像データを共有するゲストの端末において取得された入力に基づいて算出された、前記展示会における複数の展示対象の注目度を取得することと、
コンピュータが、前記注目度に基づいて、前記複数の展示対象に関わるランキングを作成することと
を具備する、注目度利活用方法。
【請求項９】
コンピュータが、ホストが展示会を撮影した映像データを共有するゲストの端末において取得された入力に基づいて算出された、前記展示会における複数の展示対象の注目度を取得することと、
コンピュータが、前記複数の展示対象のうち少なくとも１つを含む報告対象群を前記注目度に基づいて前記複数の展示対象から抽出することと、
コンピュータが、前記報告対象群の関連情報の少なくとも一部を含むドキュメントを作成することと
を具備する、注目度利活用方法。
【請求項１０】
コンピュータが、ホストが展示会を撮影した映像データを共有するゲストの端末において取得された入力に基づいて算出された、前記展示会における複数の展示対象の注目度を取得することと、
コンピュータが、前記複数の展示対象のうち少なくとも１つを含む撮影対象群を前記注目度に基づいて前記複数の展示対象から抽出することと、
コンピュータが、前記撮影対象群の撮影を前記ホストに要求する要求データを生成することと
を具備する、注目度利活用方法。
【請求項１１】
コンピュータを、
ホストが展示会を撮影した映像データを共有するゲストの端末において取得された入力に基づいて算出された、前記展示会における複数の展示対象の注目度を取得する手段、
前記注目度に基づいて、前記複数の展示対象に関わるランキングを作成する手段
として機能させる、注目度利活用プログラム。
【請求項１２】
コンピュータを、
ホストが展示会を撮影した映像データを共有するゲストの端末において取得された入力に基づいて算出された、前記展示会における複数の展示対象の注目度を取得する手段、
前記複数の展示対象のうち少なくとも１つを含む報告対象群を前記注目度に基づいて前記複数の展示対象から抽出する手段、
前記報告対象群の関連情報の少なくとも一部を含むドキュメントを作成する手段
として機能させる、注目度利活用プログラム。
【請求項１３】
コンピュータを、
ホストが展示会を撮影した映像データを共有するゲストの端末において取得された入力に基づいて算出された、前記展示会における複数の展示対象の注目度を取得する手段、
前記複数の展示対象のうち少なくとも１つを含む撮影対象群を前記注目度に基づいて前記複数の展示対象から抽出する手段、
前記撮影対象群の撮影を前記ホストに要求する要求データを生成する手段
として機能させる、注目度利活用プログラム。
【発明の詳細な説明】
【技術分野】
【０００１】
本発明は、映像視聴者の注目度を利活用する技術に関する。
【背景技術】
【０００２】
従来、ユーザを中心に３６０度周囲を視聴可能な全天球映像のライブストリーミングが可能なカメラが知られている。全天球映像のライブストリーミングは、例えばいわゆるテレイジグジスタンスなどの様々な分野での活用が期待されている。
【０００３】
従来、複数のユーザがＡＲ（Ａｕｇｍｅｎｔｅｄ  Ｒｅａｌｉｔｙ）体験を共有可能な機能が知られている。特許文献１には複数のユーザがＭＲ（Ｍｉｘｅｄ  Ｒｅａｌｉｔｙ）映像を共有して共同作業を行うことのできるシステムについて開示されている。
【０００４】
また、特許文献２には、ＨＭＤ（Ｈｅａｄ  Ｍｏｕｎｔｅｄ  Ｄｉｓｐｌａｙ）の現実空間における位置および向きから、当該ＨＭＤを装着しているユーザの視線および視線の先にある当該ユーザの着目点を特定することが開示されている。
【０００５】
さらに、特許文献３には、提示された画像間の注目度を被験者の瞳の収縮などに基づいて計測すること、この注目度をニューラルネット等の微視的なモデル情報として学習させ、このモデル情報に基づいて、所定の属性の閲覧者用のマーケティング用コンテンツを作成することが記載されている。
【先行技術文献】
【特許文献】
【０００６】
【特許文献１】特開２００６−２９３６０４号公報
【特許文献２】特開２０１７−３３２９９号公報
【特許文献３】特開２０１１−１１８５５８号公報
【発明の概要】
【発明が解決しようとする課題】
【０００７】
本発明は、ホストによって撮影された映像を共有するゲストの注目度を利活用することを目的とする。
【課題を解決するための手段】
【０００８】
本発明の第１の態様に係る注目度利活用装置は、取得部と、ランキング作成部とを含む。取得部は、ホストが展示会を撮影した映像データを共有するゲストの端末において取得された入力に基づいて算出された、展示会における複数の展示対象の注目度を取得する。ランキング作成部は、注目度に基づいて、複数の展示対象に関わるランキングを作成する。
【０００９】
この注目度利活用装置によれば、例えば展示会の出展主体または展示会の主催者などにこのランキングを有用なフィードバック情報として提供したり、ホストまたはゲストなどにこのランキングを行動決定の支援情報として提供したりすることができる。
【００１０】
第１の態様に係る注目度利活用装置において、複数の展示対象の各々は、複数の出展主体のいずれかに関連付けられてよい。ランキング作成部は、複数の出展主体の各々に関連付けられる展示対象の注目度を合算して出展主体のスコアを算出し、スコアの降順に複数の出展主体を配列してランキングを作成してよい。
【００１１】
かかるランキングは、例えば各出展主体にとっては、自らの出展内容を見直す材料、競合の出展内容へのゲストの反応を分析する材料、ゲストの反応が良かった他の出展主体を分析する材料、などとなり得る。また、かかるランキングは、例えば展示会の主催者にとっては、各出展主体へのゲストの反応を分析する材料となり得る。さらに、かかるランキングは、ホストにとっては、これから訪ねるべき出展主体を決定する材料となり得る。加えて、かかるランキングは、ゲストにとっては、ホストを選択する材料、またはホストに次に訪ねて欲しい出展主体を選択する材料となり得る。
【００１２】
第１の態様に係る注目度利活用装置において、複数の展示対象の各々は、第１の出展主体を含む複数の出展主体のいずれかに関連付けられてよい。ランキング作成部は、注目度の降順に第１の出展主体に関連付けられる展示対象を配列してランキングを作成してよい。
【００１３】
かかるランキングは、第１の出展主体にとっては、自らの各展示対象へのゲストの反応を分析する材料となり得る。また、かかるランキングは、ホストにとっては、現在訪れている第１の出展主体に関して、掘り下げる展示対象を決定する材料となり得る。加えて、かかるランキングは、ゲストにとっては、ホストに掘り下げて欲しい展示対象を選択する材料となり得る。
【００１４】
本発明の第２の態様に係る注目度利活用装置は、取得部と、報告対象抽出部と、ドキュメント作成部とを含む。取得部は、ホストが展示会を撮影した映像データを共有するゲストの端末において取得された入力に基づいて算出された、展示会における複数の展示対象の注目度を取得する。報告対象抽出部は、複数の展示対象のうち少なくとも１つを含む報告対象群を注目度に基づいて複数の展示対象から抽出する。ドキュメント作成部は、報告対象群の関連情報の少なくとも一部を含むドキュメントを作成する。
【００１５】
この注目度利活用装置によれば、例えばゲスト個人に対して当人の興味・関心に合致したピンポイントな販促用ドキュメントを提供したり、同じ属性値を持つゲスト群の統計的な興味・関心に合致した販促用ドキュメントを当該ゲスト群、および／または展示会の関係者でない（潜在）需要者に提供したりすることができる。
【００１６】
第２の態様に係る注目度利活用装置において、注目度は、第１のゲストの複数の展示対象の第１の注目度を含んでよい。報告対象抽出部は、複数の展示対象のうち少なくとも１つを含む第１の報告対象群を第１の注目度に基づいて複数の展示対象から抽出してよい。ドキュメント作成部は、第１の報告対象群の関連情報を含む第１のドキュメントを作成してよい。かかる第１のドキュメントは、第１のゲストの個人的な興味・関心に合致したピンポイントな販促用のドキュメントとなり得る。
【００１７】
第２の態様に係る注目度利活用装置において、注目度は、同一の属性値を持つ第１のゲスト群の複数の展示対象の第１の注目度を含んでよい。報告対象抽出部は、複数の展示対象のうち少なくとも１つを含む第１の報告対象群を第１の注目度に基づいて複数の展示対象から抽出してよい。ドキュメント作成部は、第１の報告対象群の関連情報を含む第１のドキュメントを作成してよい。
【００１８】
かかるドキュメントは、同一の属性値を持つ第１のゲスト群の統計的な興味・関心に合致した有用な販促用のドキュメントとなり得る。さらに、かかるドキュメントは、展示会の関係者でない（潜在）需要者を対象に広く提供されてもよい。第１のゲスト群が強い興味・関心を示した展示対象の関連情報を掲載した第１のドキュメントをＷｅｂページ、広告、記事などの形で公表することで、第１のゲスト群と同じ属性値を持つ（潜在）需要者の興味・関心を惹き付けられる可能性がある。
【００１９】
本発明の第３の態様に係る注目度利活用装置は、取得部と、撮影対象抽出部と、要求生成部とを含む。取得部は、ホストが展示会を撮影した映像データを共有するゲストの端末において取得された入力に基づいて算出された、展示会における複数の展示対象の注目度を取得する。撮影対象抽出部は、複数の展示対象のうち少なくとも１つを含む撮影対象群を注目度に基づいて複数の展示対象から抽出する。要求生成部は、撮影対象群の撮影をホストに要求する要求データを生成する。
【００２０】
この注目度利活用装置によれば、ホストに行動決定の支援情報、例えばこのまま同じブースの撮影を続けた方がよいか次のブースに行った方がよいか、どの展示物を掘り下げるべきか、どのブースへ行くべきか、などを提供することができる。
【００２１】
本発明の第４の態様に係る注目度利活用方法は、コンピュータが、ホストが展示会を撮影した映像データを共有するゲストの端末において取得された入力に基づいて算出された、展示会における複数の展示対象の注目度を取得することと、コンピュータが、注目度に基づいて、複数の展示対象に関わるランキングを作成することとを具備する。
【００２２】
この注目度利活用方法によれば、例えば展示会の出展主体または展示会の主催者などにこのランキングを有用なフィードバック情報として提供したり、ホストまたはゲストなどにこのランキングを行動決定の支援情報として提供したりすることができる。
【００２３】
本発明の第５の態様に係る注目度利活用方法は、コンピュータが、ホストが展示会を撮影した映像データを共有するゲストの端末において取得された入力に基づいて算出された、展示会における複数の展示対象の注目度を取得することと、コンピュータが、複数の展示対象のうち少なくとも１つを含む報告対象群を注目度に基づいて複数の展示対象から抽出することと、コンピュータが、報告対象群の関連情報の少なくとも一部を含むドキュメントを作成することとを具備する。
【００２４】
この注目度利活用方法によれば、例えばゲスト個人に対して当人の興味・関心に合致したピンポイントな販促用ドキュメントを提供したり、同じ属性値を持つゲスト群の統計的な興味・関心に合致した販促用ドキュメントを当該ゲスト群、および／または展示会の関係者でない（潜在）需要者に提供したりすることができる。
【００２５】
本発明の第６の態様に係る注目度利活用方法は、コンピュータが、ホストが展示会を撮影した映像データを共有するゲストの端末において取得された入力に基づいて算出された、展示会における複数の展示対象の注目度を取得することと、コンピュータが、複数の展示対象のうち少なくとも１つを含む撮影対象群を注目度に基づいて複数の展示対象から抽出することと、コンピュータが、撮影対象群の撮影をホストに要求する要求データを生成することとを具備する。
【００２６】
この注目度利活用方法によれば、ホストに行動決定の支援情報、例えばこのまま同じブースの撮影を続けた方がよいか次のブースに行った方がよいか、どの展示物を掘り下げるべきか、どのブースへ行くべきか、などを提供することができる。
【００２７】
本発明の第７の態様に係る注目度利活用プログラムは、コンピュータを、ホストが展示会を撮影した映像データを共有するゲストの端末において取得された入力に基づいて算出された、展示会における複数の展示対象の注目度を取得する手段、注目度に基づいて、複数の展示対象に関わるランキングを作成する手段として機能させる。
【００２８】
この注目度利活用プログラムによれば、例えば展示会の出展主体または展示会の主催者などにこのランキングを有用なフィードバック情報として提供したり、ホストまたはゲストなどにこのランキングを行動決定の支援情報として提供したりすることができる。
【００２９】
本発明の第８の態様に係る注目度利活用プログラムは、コンピュータを、ホストが展示会を撮影した映像データを共有するゲストの端末において取得された入力に基づいて算出された、展示会における複数の展示対象の注目度を取得する手段、複数の展示対象のうち少なくとも１つを含む報告対象群を注目度に基づいて複数の展示対象から抽出する手段、報告対象群の関連情報の少なくとも一部を含むドキュメントを作成する手段として機能させる。
【００３０】
この注目度利活用プログラムによれば、例えばゲスト個人に対して当人の興味・関心に合致したピンポイントな販促用ドキュメントを提供したり、同じ属性値を持つゲスト群の統計的な興味・関心に合致した販促用ドキュメントを当該ゲスト群、および／または展示会の関係者でない（潜在）需要者に提供したりすることができる。
【００３１】
本発明の第９の態様に係る注目度利活用プログラムは、コンピュータを、ホストが展示会を撮影した映像データを共有するゲストの端末において取得された入力に基づいて算出された、展示会における複数の展示対象の注目度を取得する手段、複数の展示対象のうち少なくとも１つを含む撮影対象群を注目度に基づいて複数の展示対象から抽出する手段、撮影対象群の撮影をホストに要求する要求データを生成する手段として機能させる。
【００３２】
この注目度利活用プログラムによれば、ホストに行動決定の支援情報、例えばこのまま同じブースの撮影を続けた方がよいか次のブースに行った方がよいか、どの展示物を掘り下げるべきか、どのブースへ行くべきか、などを提供することができる。
【発明の効果】
【００３３】
本発明によれば、ホストによって撮影された映像を共有するゲストの注目度を利活用することができる。
【図面の簡単な説明】
【００３４】
【図１】第１の実施形態に係る注目度利活用サーバを含む映像共有システムを例示するブロック図。
【図２】図１中のゲスト端末を例示するブロック図。
【図３】図１中の注目度算出サーバを例示するブロック図。
【図４】ゲストの視野の説明図。
【図５】ゲストの視野画像を例示する図。
【図６】映像のパーティションの説明図。
【図７】映像に重畳して表示されるＧＵＩ部品を例示する図。
【図８】マップデータを用いた注目度算出の説明図。
【図９】図３の注目度算出サーバの動作を例示するフローチャート。
【図１０】第１の実施形態に係る注目度利活用サーバを例示するブロック図。
【図１１】図１０中のランキング作成部によって作成されるランキングを例示する図。
【図１２】図１０中のランキング作成部によって作成されるランキングを例示する図。
【図１３】図１０の注目度利活用サーバの動作を例示するフローチャート。
【図１４】第２の実施形態に係る注目度利活用サーバを例示するブロック図。
【図１５】図１４の注目度利活用サーバの動作を例示するフローチャート。
【図１６】第３の実施形態に係る注目度利活用サーバを例示するブロック図。
【図１７】図１６の注目度利活用サーバの動作を例示するフローチャート。
【発明を実施するための形態】
【００３５】
以下、図面を参照しながら実施形態の説明を述べる。なお、以降、説明済みの要素と同一または類似の要素には同一または類似の符号を付し、重複する説明については基本的に省略する。例えば、複数の同一または類似の要素が存在する場合に、各要素を区別せずに説明するために共通の符号を用いることがあるし、各要素を区別して説明するために当該共通の符号に加えて枝番号を用いることもある。
【００３６】
以下、図面を参照しながら実施形態の説明を述べる。なお、以降、説明済みの要素と同一または類似の要素には同一または類似の符号を付し、重複する説明については基本的に省略する。例えば、複数の同一または類似の要素が存在する場合に、各要素を区別せずに説明するために共通の符号を用いることがあるし、各要素を区別して説明するために当該共通の符号に加えて枝番号を用いることもある。
【００３７】
（第１の実施形態）  
第１の実施形態に係る注目度利活用サーバは、ゲストの端末（以降、ゲスト端末と称する）が、ホストの端末（以降、ホスト端末と称する）によって撮影、投稿された映像データを映像配信サーバを介して共有する映像共有システムに、後述される注目度算出サーバおよび注目度利活用クライアントとともに組み込むことができる。図１に、第１の実施形態に係る注目度利活用サーバ５０を含む映像共有システムを例示する。
【００３８】
図１の映像共有システムは、ホスト端末１０と、映像配信サーバ２０と、ゲスト端末３０−１，３０−２，・・・と、注目度算出サーバ４０と、注目度利活用サーバ５０と、注目度利活用クライアント６０を含む。映像配信サーバ２０は、ホスト端末１０、ゲスト端末３０、注目度算出サーバ４０、注目度利活用サーバ５０、および注目度利活用クライアント６０の一部または全部と、例えばインターネットなどのネットワーク経由で接続されており、互いにデータを送受信し得る。また、注目度算出サーバ４０は、ホスト端末１０，映像配信サーバ２０、ゲスト端末３０、注目度利活用サーバ５０、および注目度利活用クライアント６０の一部または全部とネットワーク経由で接続されており、互いにデータを送受信し得る。さらに、注目度利活用サーバ５０は、ホスト端末１０、映像配信サーバ２０、ゲスト端末３０、注目度算出サーバ４０、および注目度利活用クライアント６０の一部または全部と、例えばインターネットなどのネットワーク経由で接続されており、互いにデータを送受信し得る。
【００３９】
ホスト端末１０、映像配信サーバ２０およびゲスト端末３０は、以下に説明するように、映像共有サービスを授受するための基本的な機能を有する。なお、以降の説明では、図１の映像共有システムがライブ映像を共有すること、すなわちライブストリーミング、を仮定するが、ライブ映像に限らずホストが予め作成した映像を共有する場合にも後述する注目度の算出は可能である。故に、第１の実施形態、および後述される他の実施形態は、ライブ映像に限らず映像一般に適用が可能である。また、映像は、ホストによる展示会の撮影を前提とする。すなわち、ゲストは、ホストが展示会を撮影した映像データを共有することになる。ここで、展示会とは、典型的には業界向け見本市であるが、これに限らず、人工物（例えば、製品、作品、建造物、（仮想）オブジェクト、など）、天然物（風景、人間を含む生物、気象）、人物による歌唱、ダンス、演奏、スポーツ、などの実演、またはこれらの組み合わせなどの展示対象を鑑賞可能な場を広く意味し得る。具体的には、展示会として、コンサート、演劇、スポーツ大会、などが含まれ得る。
【００４０】
ホスト端末１０は、逐次、例えば当該ホスト端末１０に接続されたカメラ／マイクロフォンによって生成されたライブ映像／音声データをエンコードし、エンコード済み（映像またはマルチメディア）データを映像配信サーバ２０へ送信（アップロード）する。ここで、カメラは、全天球もしくは半天球の３６０度カメラまたはその他のパノラマカメラであってもよいし、通常の単眼カメラであってもよい。
【００４１】
ホスト端末１０は、コンピュータなどの電子デバイス、例えば、モバイル端末（例えば、スマートフォン、タブレット、ラップトップ、など）、ＰＣ（Ｐｅｒｓｏｎａｌ  Ｃｏｍｐｕｔｅｒ）、などであってもよいし、通信機能を有するＶＲ（Ｖｉｒｔｕａｌ  Ｒｅａｌｉｔｙ）／ＡＲ／ＭＲ端末、例えばＨＭＤであってもよいが、これらに限られない。なお、ホスト端末１０としてＨＭＤのような頭部装着型のデバイスを使用する場合には、単眼型または透過型のデバイスを採用することで、ホストの視界をある程度確保することができる。
【００４２】
映像配信サーバ２０は、ホスト端末１０からエンコード済みデータを受信し、これに対して、例えば、再エンコード、などの加工を必要に応じて行う。映像配信サーバ２０は、（加工後の）エンコード済みデータをゲスト端末３０へ配信する。
【００４３】
ゲスト端末３０は、映像配信サーバ２０からエンコード済みデータを受信し、これをデコードし、ライブ映像（音声を含み得る）を再生する。なお、３６０度映像を含むパノラマ映像を再生する場合に、ゲスト端末３０は、例えば、ゲストの頭部および／または視線の方向、または当該ゲスト端末３０の方向を検出し、これに基づいて再生する映像の視点を切り替えてもよい。同様に、パノラマ映像を再生する場合に、ゲスト端末３０は、例えば、ゲストによる視点切り替えのための操作、例えば、フリック、ストローク、タッチ、タップ、スワイプ、ドラグ、クリック、などを検出し、これに基づいて再生する映像の視点を切り替えてもよい。
【００４４】
ゲスト端末３０は、典型的には、没入感に優れたＨＭＤなどのＶＲ／ＡＲ／ＭＲ端末などの表示デバイスと、この制御装置、例えば、モバイル端末、ＰＣ、ゲーム機、などの組み合わせであってよい。なお、表示デバイスおよびその制御装置は、分離型である必要はなく一体化されていてもよい。
【００４５】
ゲストは、遠隔地に居るホストによって撮影され、ゲスト端末３０によって再生される映像を通じて、あたかも展示会に参加しているかのような体験をすることができる。注目度算出サーバ４０は、映像再生時にゲスト端末３０において取得された入力に基づくゲストの視聴行動データを収集し、この視聴行動データに基づいて、展示会における複数の展示対象のうちゲストの注目した対象を特定する。さらに、注目度算出サーバ４０は、このゲストの注目した対象に基づいて、これらの展示対象の注目度を算出する。このように注目度算出サーバ４０は、展示会に仮想的に参加するゲストからの注目度を算出するので、展示会の実際の参加者へのアンケートなどとは異なるアプローチで、展示対象への興味・関心に関わるデータを収集する。この注目度は、従来のアンケートの分析結果などと組み合わせて、またはこれに代えて、様々な利活用が期待できる。
【００４６】
そこで、第１の実施形態または他の実施形態に係る注目度利活用サーバ５０は、注目度算出サーバ４０の算出した注目度に基づいて、例えば、ランキング、ドキュメント、要求データ、などの種々の注目度加工情報を生成し、これを注目度利活用クライアント６０に提供することで、注目度の利活用を図る。
【００４７】
なお、ここで例示した注目度加工情報の詳細は後述する。かかる注目度加工情報によれば、注目度利活用サーバ５０は、例えば、展示会に出展する企業などの出展主体または展示会の主催者などへフィードバック情報を提供したり、ゲストまたは他の（潜在）需要者へのマーケティングを支援したり、ゲストが最も撮影を望んでいるであろう展示対象（撮影対象）の撮影をホストに要求したりすることができる。
【００４８】
特に、第１の実施形態に係る注目度利活用サーバ５０は、後述するように、複数の展示対象に関わるランキングを注目度に基づいて作成する。すなわち、この注目度利活用サーバ５０は、複数の展示対象に関わるランキングを注目度加工情報として作成する。
【００４９】
注目度利活用クライアント６０は、典型的には、注目度を利活用する主体、例えば、展示会の主催者、出展主体、ホスト、ゲスト、など、のコンピュータである。具体的には、注目度利活用クライアント６０は、例えば、サーバコンピュータ、ＰＣ、モバイル端末、などであってもよいし、通信機能を有するＶＲ／ＡＲ／ＭＲ端末、例えばＨＭＤであってもよいが、これらに限られない。
【００５０】
なお、注目度利活用クライアント６０は、注目度を利活用する主体がホストを含む場合にはホスト端末１０を含み得る。また、注目度利活用クライアント６０は、注目度を利活用する主体がゲストを含む場合にはゲスト端末３０を含み得る。
【００５１】
注目度利活用クライアント６０は、注目度利活用サーバ５０から、例えば、ランキング、ドキュメント、要求データ、などの注目度加工情報をネットワーク経由で受信する。そして、注目度利活用クライアント６０は、かかる注目度加工情報を、出力、例えば注目度を利活用する主体が当該情報の内容を視認できるように表示する。
【００５２】
なお、図１において示される各装置の数は、例示に過ぎない。例えば、ゲスト端末３０の数は、時々刻々と変化するので、０となることがあり得るし、数百、数千となることもあり得る。また、図１の映像共有システムは、複数のライブ映像を並列的に配信することができるので、ホスト端末１０の数も２以上となり得る。
【００５３】
以下、ゲスト端末３０の構成について詳しく説明する。ゲスト端末３０は、図２に例示されるように、通信Ｉ／Ｆ  １００と、プロセッサ１１０と、メモリ１２０と、出力装置１３０と、入力装置１４０とを含む。
【００５４】
通信Ｉ／Ｆ  １００は、ネットワーク経由で、外部装置、例えば、映像配信サーバ２０、注目度算出サーバ４０、などと通信をするためのモジュールであって、例えば、送受信のための信号処理回路、アンテナ、ＬＡＮ（Ｌｏｃａｌ  Ａｒｅａ  Ｎｅｔｗｏｒｋ）端子などを含み得る。通信Ｉ／Ｆは、例えば移動通信などの広域通信用のモジュール、無線／有線ＬＡＮ用のモジュール、Ｂｌｕｅｔｏｏｔｈ（登録商標）用のモジュール、などであり得る。
【００５５】
プロセッサ１１０は、典型的にはＣＰＵ（Ｃｅｎｔｒａｌ  Ｐｒｏｃｅｓｓｉｎｇ  Ｕｎｉｔ）および／またはＧＰＵ（Ｇｒａｐｈｉｃｓ  Ｐｒｏｃｅｓｓｉｎｇ  Ｕｎｉｔ）であるが、マイコン、ＦＰＧＡ（Ｆｉｅｌｄ  Ｐｒｏｇｒａｍｍａｂｌｅ  Ｇａｔｅ  Ａｒｒａｙ）、ＤＳＰ（Ｄｉｇｉｔａｌ  Ｓｉｇｎａｌ  Ｐｒｏｃｅｓｓｏｒ）、またはその他の汎用または専用のプロセッサなどであってもよい。プロセッサ１１０は、例えば、入出力制御、通信制御、画像／音声処理、後述する視聴行動データの生成、などを行う。
【００５６】
メモリ１２０は、プロセッサ１１０が各処理を実現するために当該プロセッサ１１０によって実行されるプログラムおよび当該プロセッサ１１０によって使用されるデータ、例えば、入力データ、映像データ、視聴行動データ、などを一時的に格納する。メモリ１２０は、かかるプログラム／データが展開されるワークエリアを有するＲＡＭ（Ｒａｎｄｏｍ  Ａｃｃｅｓｓ  Ｍｅｍｏｒｙ）を含み得る。
【００５７】
出力装置１３０は、例えば、プロセッサによって再生された映像を出力する表示デバイス、プロセッサによって再生された音声を出力するスピーカ、などを含み得る。出力装置１３０は、ＨＭＤの要素の一部または全部であってもよい。
【００５８】
入力装置１４０は、例えば、センサ、タッチスクリーン、マイクロフォン、キーボード、マウス、などの一部または全部を含み得る。
【００５９】
ここで、センサは、例えば、加速度センサ、ジャイロスコープ、磁気センサ、などの動きセンサを含み得る。動きセンサによって検出されたセンサデータは、ゲストの頭部および／またはゲスト端末３０の方向（例えば３軸の傾き）の推定に利用することができる。具体的には、パノラマ映像の再生時には、このセンサデータに基づいて、ゲストの頭部および／またはゲスト端末３０の３次元的な回転角であるＹａｗ角、Ｒｏｌｌ角、およびＰｉｔｃｈ角が推定され、これに応じてゲスト端末３０に表示される映像の視点が制御され得る。
【００６０】
また、センサは、いわゆるアイトラッキングデバイスを含み得る。アイトラッキングデバイスは、ゲストの眼球の動きを捉え、ゲストの視線方向を表す入力データを生成する。かかる入力データもまた、ゲスト端末３０に表示される映像の視点の制御に利用され得る。
【００６１】
プロセッサ１１０は、メモリ１２０に保存されたプログラムを実行することで、図２の受信データ取得部１１１、デコーダ１１２、映像出力部１１３、入力データ取得部１１４、視聴行動データ生成部１１５、および視聴行動報告部１１６として機能し得る。また、メモリ１２０は、図２の映像データ記憶部１２１、視聴行動データ記憶部１２２、および入力データ記憶部１２３を含み得る。
【００６２】
通信Ｉ／Ｆ  １００は、外部装置から種々のデータをネットワーク経由で受信する受信部１０１と、外部装置へ種々のデータをネットワーク経由で送信する送信部１０２とを含む。受信部１０１は、映像配信サーバ２０から前述のエンコード済みデータを受信し、これを受信データ取得部１１１へ送る。また、送信部１０２は、視聴行動報告部１１６から視聴行動データを受け取り、これを注目度算出サーバ４０へ送信する。
【００６３】
受信データ取得部１１１は、受信部１０１から受信データを取得し、これをメモリ１２０に書き込む。一例として、受信データ取得部１１１は、受信部１０１からエンコード済みデータを取得し、これを映像データ記憶部１２１に書き込む。
【００６４】
映像データ記憶部１２１は、受信データ取得部１１１によって取得されたエンコード済みデータを保存する。このエンコード済みデータは、少なくともエンコード済み映像データを含み、さらにエンコード済み音声データを含み得る。映像データ記憶部１２１に保存されたエンコード済み映像データは、プロセッサ１１０の種々の機能部、例えばデコーダ１１２によって読み出され得る。
【００６５】
デコーダ１１２は、映像データ記憶部１２１からエンコード済み映像データを映像データ記憶部１２１から読み出す。デコーダ１１２は、エンコード済み映像データを適切なコーデックに従ってデコードして映像データを再生する。なお、デコーダ１１２は、ビデオデコーダに加えて音声デコーダを含んでいてもよい。デコーダ１１２は、再生した映像データを映像出力部１１３へ送る。また、デコーダ１１２は、図２においてプロセッサ１１０の機能の一部であるかのように描かれているが、専用の回路であってもよい。
【００６６】
映像出力部１１３は、デコーダ１１２から映像データを適時に、すなわち当該映像データに対応する出力タイミングの到来前に、受け取り、これを出力装置１３０へ送る。なお、映像出力部１１３は、映像データに限らず音声データの出力を制御してもよい。
【００６７】
映像データがパノラマ映像を表す場合には、映像出力部１１３は、再生する映像の視点を制御してもよい。例えば、映像出力部１１３は、入力データ記憶部１２３に保存されているゲストの頭部および／または視線の方向、またはゲスト端末３０の姿勢を表す入力データ、および／またはゲストによる視点切り替えのための操作を表す入力データに基づいて、再生する映像の視点を決定し得る。そして、映像出力部１１３は、決定した視点に応じた映像データを、デコーダ１１２からの映像データに基づいて生成し、これを出力装置１３０へ送ってもよい。
【００６８】
また、映像出力部１１３は、映像データに必要に応じてＧＵＩ（Ｇｒａｐｈｉｃａｌ  Ｕｓｅｒ  Ｉｎｔｅｒｆａｃｅ）部品、および／または後述されるパーティションを明示するための表示（例えば、パーティションの境界線および／またはパーティションのラベル）を付加してから出力装置１３０へ送ってもよい。
【００６９】
出力装置１３０は、映像出力部１１３から映像データを受け取り、これを表示する。なお、出力装置１３０は、映像データの表示に加えて、音声データを出力してもよい。
【００７０】
入力装置１４０は、ゲスト端末３０における入力に基づいて入力データを発生し、これを入力データ取得部１１４へ送る。ここで、入力データは、例えば、ゲストの頭部および／または視線の方向、またはゲスト端末３０の方向を表すデータ、ゲストによるゲスト端末３０の表示映像に対する操作（例えば、キャプチャ操作、視点切り替えのための操作、映像に重畳されたＧＵＩ部品を選択する操作、映像のパーティションを選択する操作）を表すデータ、などの一部または全部と、かかるデータの生成時に対応する映像データの再生時刻を示す再生時刻データとを含み得る。
【００７１】
なお、ゲスト端末３０は、オプションとしてキャプチャ機能を実装し得る。ゲスト端末３０がキャプチャ機能を実装する場合には、プロセッサ１１０が、例えばキャプチャ操作を表す入力データに応じて、出力装置１３０に含まれる表示デバイスに表示されている映像をキャプチャしてキャプチャ画像を生成するキャプチャ部（図示しない）として機能し得る。
【００７２】
入力データ取得部１１４は、入力装置１４０から種々の入力データを受け取り、これを入力データ記憶部１２３に書き込む。
【００７３】
入力データ記憶部１２３は、入力データ取得部１１４によって取得された入力データを保存する。入力データ記憶部１２３に保存された入力データは、プロセッサ１１０の種々の機能部、例えば、視聴行動データ生成部１１５によって読み出される。
【００７４】
視聴行動データ生成部１１５は、入力データ記憶部１２３から入力データを読み出し、これに基づいてゲストの映像視聴時の意識的なまたは無意識の行動を表す視聴行動データを生成する。視聴行動データ生成部１１５は、生成した視聴行動データを視聴行動データ記憶部１２２に書き込む。
【００７５】
具体的には、映像データがパノラマ映像、すなわち視点の切り替えが可能な映像である場合に、視聴行動データ生成部１１５は、ある時点におけるゲストの視野方向を表す視野方向データと、当該時点に対応する映像データの再生時刻を示す再生時刻データとを含む視聴行動データを生成してもよい。ここで、ある時点とは、例えば予め定められたタイミングであってもよいし、例えばゲストがキャプチャ操作などの所定の入力を行ったタイミングであってもよい。
【００７６】
視聴行動データ生成部１１５は、例えば入力データに含まれ得る、ゲストの頭部および／または視線の方向、またはゲスト端末３０の方向を表すデータに基づいて視野方向データを生成し得る。一例として、視聴行動データ生成部１１５は、ゲストの視野を図４に例示されるように、ホストの視野を基準として正面方向（Ｆ）、右方向（Ｒ）、左方向（Ｌ）および後方（Ｂ）の４つの視野領域に分割し、ゲストの頭部および／または視線の方向、またはゲスト端末３０の方向がいずれの視野領域に該当するかを判定し、判定した視野領域を表すインデックスを視野方向データとして生成してもよい。なお、図４は例示に過ぎず、ゲストの視野は３以下の視野領域に分割されてもよいし、５以上の視野領域に分割されてもよい。また、視野領域は、映像の視点切り替えの単位と一致していてもよいししなくてもよい。
【００７７】
後述するように、これら視野方向データおよび再生時刻データと、映像データとを組み合わせれば、再生時刻データの示す再生時刻におけるゲストの視野画像をある程度再現することができる。この視野画像には、ゲストの注目した対象が含まれている可能性がある。例えば図５に例示される視野画像は、被写体として、ブース３０１、展示物３０１−１，３０１−２，３０１−３，ブース３０２、および展示物３０２−１を含んでいるが、ゲストがこれらの一部または全部に興味・関心がある可能性がある。
【００７８】
また、映像データがパノラマ映像、または通常の映像、すなわち視点切り替えが不可能な映像、である場合に、視聴行動データ生成部１１５は、ゲストによるキャプチャ操作に応じて生成されたキャプチャ画像と、このキャプチャ操作のなされた時に対応する映像データの再生時刻を示す再生時刻データとを含む視聴行動データを生成してもよい。キャプチャ画像は、データ容量が視野方向データに比べて大きい反面、キャプチャ操作がなされた時のゲストの視野画像そのものであるので、視野画像を再現する処理が不要であるうえにかかる処理に起因する視野の誤差も生じないという利点がある。また、ゲストが能動的にキャプチャ操作を行って保存したキャプチャ画像には、当該ゲストの注目した対象が含まれている可能性が高いと推定できる。
【００７９】
なお、映像は、例えば図６に示されるように、複数のパーティションに区切って表示されてもよい。図６の例では、映像は３つのパーティションＬ（左）、Ｃ（中央）、およびＲ（右）に区切られている。ゲストがいずれかのパーティションを選択する操作を行ったとすると、そのパーティションには、当該ゲストの注目した対象が含まれている可能性が高いと推定できる。例えば、図６の例では、ゲストがパーティションＬを選択すれば当該ゲストは展示物３０１−１および／またはブース３０１に興味・関心があると推定できるし、ゲストがパーティションＣを選択すれば当該ゲストは展示物３０１−２，展示物３０１−２および／またはブース３０１に興味・関心があると推定できるし、ゲストがパーティションＲを選択すれば当該ゲストは展示物３０２−１および／またはブース３０２に興味・関心があると推定できる。ただし、図６は例示に過ぎず、映像は２以下のパーティションに区切られてもよいし、４以上のパーティションに区切られてもよい。また、例えば、物体認識技術などを利用して、物体毎に対応するパーティションが定められてもよい。
【００８０】
そこで、視聴行動データ生成部１１５は、ゲストによるパーティションの選択がなされた時の視野方向データおよび／またはキャプチャ画像と、選択されたパーティションを示すパーティション選択データと、パーティションの選択がなされた時に対応する映像データの再生時刻を示す再生時刻データとを含む視聴行動データを生成してもよい。
【００８１】
さらに、映像には、例えば図７に示されるように、ＧＵＩ部品が重畳して表示され得る。図７のＧＵＩ部品４０１を選択したゲストは、現在表示されている映像の被写体であるブース３０１、および展示物３０１−１，３０１−２，３０１−３の少なくとも一部に興味・関心があると推定できる。他方、図７のＧＵＩ部品４０２を選択したゲストは、現在表示されている映像の被写体であるブース３０１、および展示物３０１−１，３０１−２，３０１−３の少なくとも一部に興味・関心がないか、他のブースおよび／または展示物に興味・関心があると推定できる。
【００８２】
そこで、視聴行動データ生成部１１５は、映像に重畳して表示されたＧＵＩ部品のうちゲストに選択されたものを示すＧＵＩ選択データと、かかる選択のなされた時に対応する映像データの再生時刻を示す再生時刻データとを含む視聴行動データを生成してもよい。なお、映像データがパノラマ映像である場合には、ゲストの視野画像を再現可能とするために、視聴行動データ生成部１１５は、ＧＵＩ部品が選択された時の視野方向データおよび／またはキャプチャ画像を視聴行動データに含める必要がある。
【００８３】
視聴行動データ記憶部１２２は、視聴行動データ生成部１１５によって生成された視聴行動データを保存する。視聴行動データ記憶部１２２に保存された視聴行動データは、プロセッサ１１０の種々の機能部、例えば、視聴行動報告部１１６によって読み出される。
【００８４】
視聴行動報告部１１６は、視聴行動データ記憶部１２２から視聴行動データを読み出し、これを注目度算出サーバ４０に報告する。具体的には、視聴行動報告部１１６は、視聴行動データを送信部１０２へ送り、送信部１０２はこの視聴行動データをネットワーク経由で注目度算出サーバ４０へ送信する。
【００８５】
次に、注目度算出サーバ４０の構成について詳しく説明する。注目度算出サーバ４０は、図３に例示されるように、通信Ｉ／Ｆ  ２００と、プロセッサ２１０と、メモリ２２０とを含む。
【００８６】
通信Ｉ／Ｆ  ２００は、ネットワーク経由で、外部装置、例えば、ホスト端末１０、映像配信サーバ２０、ゲスト端末３０、注目度利活用サーバ５０、などと通信をするためのモジュールであって、例えば、送受信のための信号処理回路、光コネクタなどを含み得る。通信Ｉ／Ｆ  ２００は、例え光通信モジュール、などであり得る。
【００８７】
プロセッサ２１０は、汎用または専用のプロセッサなどであってもよい。プロセッサ２１０は、例えば、入出力制御、通信制御、後述される注目対象の特定および注目度の算出、などを行う。
【００８８】
メモリ２２０は、プロセッサ２１０が各処理を実現するために当該プロセッサ２１０によって実行されるプログラムおよび当該プロセッサ２１０によって使用されるデータ、例えば、視聴行動データ、注目対象データ、注目度、などを一時的に格納する。さらに、メモリ２２０は、視聴行動データに関連付けられるゲストの視野画像を再現するために、映像データを格納し、および／または後述される基準位置姿勢データおよびマップデータを格納し得る。メモリ２２０は、かかるプログラム／データが展開されるワークエリアを有するＲＡＭを含み得る。
【００８９】
プロセッサ２１０は、メモリ２２０に保存されたプログラムを実行することで、図３の受信データ取得部２１１、注目対象特定部２１２、注目度算出部２１３、および注目度報告部２１４として機能し得る。また、メモリ２２０は、図３の視聴行動データ記憶部２２１、注目度記憶部２２２および注目対象データ記憶部２２３を含み得る。
【００９０】
通信Ｉ／Ｆ  ２００は、外部装置から種々のデータをネットワーク経由で受信する受信部２０１と、外部装置へ種々のデータをネットワーク経由で送信する送信部２０２とを含む。受信部２０１は、ゲスト端末３０から視聴行動データを受信し、これを受信データ取得部２１１へ送る。受信部２０１は、ホスト端末１０および／または映像配信サーバ２０から（エンコード済み）映像データおよび／または基準位置姿勢データを受信し、これを受信データ取得部２１１へ送り得る。ここで、基準位置姿勢データは、所与の時刻におけるホストの位置と映像データの基準アングルとを示す。また、送信部２０２は、注目度報告部２１４から注目度を受け取り、これを注目度利活用サーバ５０へ送信する。
【００９１】
受信データ取得部２１１は、受信部２０１から受信データを取得し、これをメモリ２２０に書き込む。一例として、受信データ取得部２１１は、受信部２０１から視聴行動データを取得し、これを視聴行動データ記憶部２２１に書き込む。また、受信データ取得部２１１は、受信部２０１から（エンコード済み）映像データおよび／または基準位置姿勢データを取得し、これをメモリ１２０に書き込み得る。
【００９２】
視聴行動データ記憶部２２１は、受信データ取得部２１１によって取得された視聴行動データを保存する。視聴行動データ記憶部２２１に保存された視聴行動データは、プロセッサ２１０の種々の機能部、例えば注目対象特定部２１２によって読み出され得る。
【００９３】
なお、視聴行動データは、ホストおよびゲストの区別なく集積されてもよいし、ホストまたはゲストを区別して集積されてもよい。すなわち、あるホスト端末１０によって発信される映像の視聴時に生成された視聴行動データと、別のホスト端末１０によって発信される映像の視聴時に視聴行動データとは区別されてもよい。この場合に、視聴行動データは、どのホスト端末１０をソースとする映像の視聴時に当該視聴行動データが生成されたかを表すホスト識別子を含み得る。また、あるゲストのゲスト端末３０により生成された視聴行動データと、別のゲストのゲスト端末３０により生成された視聴行動データとは区別されてもよい。この場合に、視聴行動データは、どのゲスト端末３０により当該視聴行動データが生成されたかを表すゲスト識別子を含み得る。
【００９４】
注目対象特定部２１２は、視聴行動データ記憶部２２１から視聴行動データを読み出し、メモリ２２０から展示会における複数の展示対象の参照データを読み出す。ここで、参照データは、例えば、展示対象の外観（展示対象および／またはその属する出展主体のロゴおよび／または商標、展示対象としての人物の顔、などの部分的な外観を含み得る）、展示対象に付与されたコード（例えば、一次元コード、二次元コード、など）、展示対象に関連付けられるテキスト（例えば、名称、愛称、識別番号、説明文など）、展示対象の位置、などを示し得る。なお、複数の展示対象の位置を示す参照データは、マップデータと呼ぶこともできる。注目対象特定部２１２は、視聴行動データおよび参照データに基づいて、当該視聴行動データに含まれる再生時刻データの示す映像データの再生時刻において、ゲストが注目した対象を特定する。そして、注目対象特定部２１２は、例えば、この再生時刻データと、特定した対象を識別する展示対象識別子とを含む注目対象データを生成し、これを注目対象データ記憶部２２３に書き込む。
【００９５】
なお、視聴行動データが前述のホスト識別子および／またはゲスト識別子を含む場合には、注目対象データもまたこれを含んでもよい。また、ホスト識別子および／またはゲスト識別子は、それぞれ１つまたは複数の属性、例えば、性別、年代、嗜好、スキル、などを識別する属性識別子に変換されてもよい。なお、ホスト識別子および／またはゲスト識別子から属性識別子への変換ルールは、例えば図１の映像共有システムのユーザ情報を管理するサーバによって作成され、注目度算出サーバ４０がこれを取得してもよい。例えば、あるゲスト識別子が「男性」、「３０代」、「アーリーアダプター」、「専門家」などの属性を識別する属性識別子に変換され、注目対象データに含められてもよい。
【００９６】
具体的には、注目対象特定部２１２は、以下に列挙するように様々な技法により、ゲストが注目した対象を特定することができる。
【００９７】
（１）視聴行動データが前述の視野方向データおよび再生時刻データを含み、メモリ２２０には（パノラマ映像を表す）映像データが保存されているとする。この場合に、注目対象特定部２１２は、再生時刻データおよび視野方向データに基づいて、映像データから当該再生時刻データの示す再生時刻におけるゲストの視野画像を抽出する。例えば、注目対象特定部２１２は、映像データのうち再生時刻データの示す再生時刻に対応する１枚のパノラマ画像を抽出し、さらにこのパノラマ画像から視野方向データの示す視野方向に対応する１視点分の画像をゲストの視野画像として抽出し得る。
【００９８】
そして、注目対象特定部２１２は、この視野画像の被写体から、再生時刻データの示す再生時刻においてゲストが注目した対象を特定する。具体的には、注目対象特定部２１２は、被写体の外観を参照データに含まれる複数の展示対象の外観と比較したり、被写体に含まれるテキスト領域またはコード領域を抽出し、抽出した領域を参照データに含まれる複数の展示対象に関連付けられるテキストまたは展示対象に付与されたコードと比較したりすることで、視野画像に含まれる被写体が複数の展示対象のいずれかに該当するか否かを判定できる。
【００９９】
（２）視聴行動データが前述のキャプチャ画像および再生時刻データを含んでいるとする。この場合に、注目対象特定部２１２は、このキャプチャ画像の被写体から、再生時刻データの示す再生時刻においてゲストが注目した対象を特定する。具体的には、注目対象特定部２１２は、上記（１）と同様の技法により、キャプチャ画像に含まれる被写体が複数の展示対象のいずれかに該当するか否かを判定できる。
【０１００】
（３）視聴行動データが前述のＧＵＩ選択データおよび再生時刻データを含んでいるとする。なお、視聴行動データがキャプチャ画像をさらに含んでいる場合、またはメモリ２２０に（通常の映像を表す）映像データが保存されている場合には、注目対象特定部２１２は、このキャプチャ画像、または映像データのうち再生時刻データの示す再生時刻に対応する１枚の画像、をゲストの視野画像として扱うことができる。他方、視聴行動データが視野方向データをさらに含んでいて、かつメモリ２２０に（パノラマ映像を表す）映像データが保存されている場合には、注目対象特定部２１２は、上記（１）と同様の技法により、ゲストの視野画像を抽出できる。
【０１０１】
そして、注目対象特定部２１２は、この視野画像の被写体から上記（１）と同様の技法により複数の展示対象のいずれかに該当するものを抽出し、抽出した展示対象をさらにＧＵＩ選択データに基づいて絞り込むことで、再生時刻データの示す再生時刻においてゲストが注目した対象を特定する。例えば、ＧＵＩ選択データが「右の展示物」のようなＧＵＩ部品が選択されたことを示す場合には、注目対象特定部２１２は、視野画像において右側に位置する展示物をゲストが注目した対象として特定し得る。また、ＧＵＩ選択データが例えば図７のＧＵＩ部品４０１が選択されたことを示す場合には、注目対象特定部２１２は、視野画像に含まれる展示対象をゲストが注目した対象として特定し得る。他方、ＧＵＩ選択データが例えば図７のＧＵＩ部品４０２が選択されたことを示す場合には、注目対象特定部２１２は、視野画像に含まれる展示対象をゲストが注目した対象から除外し得る。
【０１０２】
（４）視聴行動データが前述のパーティション選択データおよび再生時刻データを含んでいるとする。なお、視聴行動データがキャプチャ画像をさらに含んでいる場合、またはメモリ２２０に（通常の映像を表す）映像データが保存されている場合には、注目対象特定部２１２は、このキャプチャ画像、または映像データのうち再生時刻データの示す再生時刻に対応する１枚の画像、をゲストの視野画像として扱うことができる。他方、視聴行動データが視野方向データをさらに含んでいて、かつメモリ２２０に（パノラマ映像を表す）映像データが保存されている場合には、注目対象特定部２１２は、上記（１）と同様の技法により、ゲストの視野画像を抽出できる。
【０１０３】
そして、注目対象特定部２１２は、この視野画像をパーティション選択データに基づいてさらに絞り込む。例えば、パーティション選択データが例えば図６のパーティションＬが選択されたことを示す場合には、注目対象特定部２１２は、視野画像からこのパーティションＬに該当する部分をトリミングし得る。そして、注目対象特定部２１２は、上記（１）と同様の技法により、この絞り込み後の視野画像に含まれる被写体が複数の展示対象のいずれかに該当するか否かを判定できる。
【０１０４】
（５）視聴行動データが前述の視野方向データおよび再生時刻データを含み、メモリ２２０にはマップデータおよび基準位置姿勢データが保存されているとする。注目対象特定部２１２は、再生時刻データ、基準位置姿勢データに基づいて、再生時刻データの示す再生時刻におけるホストの位置と映像データの基準アングルとを決定する。さらに、注目対象特定部２１２は、決定した映像データの基準アングルを、視野方向データの示す視野方向に応じて回転させて、再生時刻データの示す再生時刻におけるゲストの視野範囲を推定する。マップデータは、展示会における複数の展示対象をその位置に関連付ける。そして、注目対象特定部２１２は、推定したゲストの視野範囲内に展示されている展示対象を、再生時刻データの示す再生時刻においてゲストが注目した対象として特定する。具体的には、図８に例示されるように、注目対象特定部２１２は、ホストの位置５０１を中心にゲストの視野範囲５０２を推定し、この視野範囲５０２の内に展示されているブースＡ０１、および／または当該ブースＡ０１内の展示物を、ゲストが注目した対象として特定し得る。
【０１０５】
上記（５）の技法によれば、上記（１），（３）〜（４）のようなメモリ２２０に大容量の映像データを保存する必要のある技法に比べて、メモリ２２０の使用量を節約できる可能性がある。加えて、上記（５）の技法によれば、同じ展示会に参加する他のホストの映像に関わる注目度の算出時にも同じマップデータを利用することで、メモリ２２０の使用量をさらに節約できる。或いは、上記（１），（３）〜（４）の技法において、注目度算出サーバ４０が、ホスト端末１０または映像配信サーバ２０に映像データのうち再生時刻データの示す再生時刻に対応する画像を要求するようにしてもよい。
【０１０６】
注目対象データ記憶部２２３は、注目対象特定部２１２によって生成された注目対象データを保存する。注目対象データ記憶部２２３に保存された注目対象データは、プロセッサ２１０の種々の機能部、例えば注目度算出部２１３によって読み出される。なお、注目対象データは、例えば、再生時刻、ゲスト識別子、ホスト識別子、および／または属性識別子をキーとして含んでいてもよく、所望のキーにマッチするものを選択的に読み出し可能であってもよい。
【０１０７】
注目度算出部２１３は、注目対象データ記憶部２２３から注目対象データを読み出し、これに基づいて複数の展示対象の注目度を算出する。そして、注目度算出部２１３は、算出した注目度を注目度記憶部２２２に書き込む。
【０１０８】
注目度算出部２１３は、注目対象データの示す対象の注目度が相対的に増加するように複数の展示対象の注目度を算出し得る。具体的には、注目度算出部２１３は、あるゲストについて得られた注目対象データの示す対象の注目度が、当該ゲストによる当該対象への注目の持続時間の長さに応じて増加するように複数の展示対象の注目度を算出してもよい。例えば、注目度算出部２１３は、複数の再生時刻に亘って、展示対象毎に、注目対象データにおける当該展示対象の出現数を集計し、この集計結果に基づいて当該展示対象の注目度を算出する。また、注目度算出部２１３は、あるゲストについて得られた一連の注目対象データの示すある対象への注目の持続時間が閾値未満である場合に、当該一連の注目対象データを破棄してもよい。換言すれば、注目度算出部２１３は、あるゲストについて得られた一連の注目対象データの示すある対象への注目の持続時間が閾値を超える場合に、当該一連の注目対象データに基づいて注目度を算出してもよい。
【０１０９】
注目度算出部２１３は、ゲスト別／属性別に注目度を算出してもよい。すなわち、注目度算出部２１３は、あるゲスト識別子／属性識別子を含む注目対象データを注目対象データ記憶部２２３から読み出し、展示対象毎に、読み出した注目対象データにおける当該展示対象の出現数を複数の再生時刻に亘って集計し、この集計結果に基づいて当該ゲスト識別子の示すゲスト／属性識別子の示す属性値を持つゲストの当該展示対象の注目度を算出してもよい。
【０１１０】
また、注目度算出部２１３は、ホスト別に注目度を算出してもよい。すなわち、注目度算出部２１３は、あるホスト識別子を含む注目対象データを注目対象データ記憶部２２３から読み出し、展示対象毎に、読み出した注目対象データにおける当該展示対象の出現数を複数の再生時刻に亘って集計し、この集計結果に基づいて当該ホスト識別子の示すホストによる撮影映像を視聴するゲストの当該展示対象の注目度を算出してもよい。
【０１１１】
さらに、注目度算出部２１３は、展示会における総合的な注目度を算出してもよい。すなわち、注目度算出部２１３は、全ての注目対象データを注目対象データ記憶部２２３から読み出し、展示対象毎に、読み出した注目対象データにおける当該展示対象の出現数を複数の再生時刻に亘って集計し、この集計結果に基づいて当該展示会に仮想的に参加する全ゲストの当該展示対象の注目度を算出してもよい。
【０１１２】
注目度記憶部２２２は、注目度算出部２１３によって算出された注目度を保存する。注目度記憶部２２２に保存された注目度は、プロセッサ２１０の種々の機能部、例えば注目度報告部２１４によって読み出される。なお、注目度は、例えば、所望の再生時刻、ゲスト識別子、ホスト識別子、および／または属性識別子をキーとして含んでいてもよく、所望のキーにマッチするものを選択的に読み出し可能であってもよい。
【０１１３】
注目度報告部２１４は、注目度記憶部２２２から注目度を読み出し、これを注目度利活用サーバ５０に報告する。具体的には、注目度報告部２１４は、注目度を送信部２０２へ送り、送信部２０２はこの注目度をネットワーク経由で注目度利活用サーバ５０へ送信する。
【０１１４】
以下、図９を用いて、注目度算出サーバ４０の動作例を説明する。図９の動作はステップＳ６０１から開始する。  
ステップＳ６０１において、受信部２０１は、ゲスト端末３０から視聴行動データを受信するのを待ち受ける。受信部２０１が、視聴行動データを受信すると処理はステップＳ６０２へ進む。他方、受信部２０１が視聴行動データを受信する前に、注目度の算出タイミングが到来すると処理はステップＳ６０６へと進む（ステップＳ６０５）。
【０１１５】
ここで、注目度の算出タイミングは任意に定められ得る。例えば展示会の開催中にリアルタイムに注目度を算出する場合には、例えば、１分おき、１０分おき、１時間おき、などで注目度の算出タイミングが定められてもよい。或いは、例えば展示会の半日分、または１日分の日程の終了後、または展示会の全日程の終了後に、注目度の算出タイミングが定められてもよい。
【０１１６】
ステップＳ６０２において、受信データ取得部２１１は、受信部２０１によって受信された視聴行動データを取得し、これを視聴行動データ記憶部２２１に書き込む。次に、注目対象特定部２１２は、ステップＳ６０２において取得された視聴行動データに基づいて、当該視聴行動データに含まれる再生時刻データの示す再生時刻にゲストが注目した対象を特定し、注目対象データを生成する（ステップＳ６０３）。
【０１１７】
なお、ステップＳ６０２およびステップＳ６０３は、必ずしも連続的に行われる必要はなく、例えばステップＳ６０２が複数回実行される毎に、または所定の周期で、ステップＳ６０３が実行されてもよい。この場合に、ステップＳ６０２の後に、処理は、ステップＳ６０３の代わりに、ステップＳ６０１に戻ってもよいし、ステップＳ６０５へ進んでもよい。
【０１１８】
注目対象特定部２１２は、ステップＳ６０３において生成した注目対象データを注目対象データ記憶部２２３に書き込み（ステップＳ６０４）、処理はステップＳ６０５へと進む。なお、ステップＳ６０４の後に、処理はステップＳ６０５の代わりにステップＳ６０１に戻ってもよい。
【０１１９】
ステップＳ６０６において、注目度算出部２１３は、ステップＳ６０４において注目対象データ記憶部２２３に保存された注目対象データに基づいて、複数の展示対象の注目度を算出し、注目度記憶部２２２に保存する。
【０１２０】
そして、注目度報告部２１４は、ステップＳ６０６において算出された注目度を注目度利活用サーバ５０に報告し（ステップＳ６０７）、図９の動作は終了する。
【０１２１】
なお、ステップＳ６０６およびステップＳ６０７は、必ずしも連続的に行われる必要はなく、例えばステップＳ６０６が複数回実行される毎に、または所定の周期で、ステップＳ６０７が実行されてもよい。この場合に、ステップＳ６０６の後に、処理は、ステップＳ６０７の代わりに、ステップＳ６０１に戻ってもよいし、ステップＳ６０５に戻ってもよい。
【０１２２】
次に、第１の実施形態に係る注目度利活用サーバ５０の構成について詳しく説明する。この注目度利活用サーバ５０は、図１０に例示されるように、通信Ｉ／Ｆ  ７００と、プロセッサ７１０と、メモリ７２０とを含む。
【０１２３】
通信Ｉ／Ｆ  ７００は、ネットワーク経由で、外部装置、例えば、注目度算出サーバ４０、注目度利活用クライアント６０、などと通信をするためのモジュールであって、例えば、送受信のための信号処理回路、光コネクタなどを含み得る。通信Ｉ／Ｆ  ７００は、例え光通信モジュール、などであり得る。
【０１２４】
プロセッサ７１０は、汎用または専用のプロセッサなどであってもよい。プロセッサ７１０は、例えば、入出力制御、通信制御、後述されるランキングの作成、などを行う。
【０１２５】
メモリ７２０は、プロセッサ７１０が各処理を実現するために当該プロセッサ７１０によって実行されるプログラムおよび当該プロセッサ７１０によって使用されるデータ、例えば、注目度、ランキング、などを一時的に格納する。メモリ７２０は、かかるプログラム／データが展開されるワークエリアを有するＲＡＭを含み得る。
【０１２６】
プロセッサ７１０は、メモリ７２０に保存されたプログラムを実行することで、図１０の受信データ取得部７１１、ランキング作成部７１２、およびランキング報告部７１３として機能し得る。また、メモリ７２０は、図１０の注目度記憶部７２１およびランキング記憶部７２３を含み得る。
【０１２７】
通信Ｉ／Ｆ７００は、外部装置から種々のデータをネットワーク経由で受信する受信部７０１と、外部装置へ種々のデータをネットワーク経由で送信する送信部７０２とを含む。受信部７０１は、注目度算出サーバ４０から注目度を受信し、これを受信データ取得部７１１へ送る。また、送信部７０２は、ランキング報告部７１３からランキングを受け取り、これを注目度利活用クライアント６０へ送信する。
【０１２８】
ここで、前述のように、注目度は、ホストが展示会を撮影した映像データを共有するゲストの端末において取得された入力に基づいて、注目度算出サーバ４０によって算出される。注目度は、その対応する展示対象にゲストが注目した度合いを示す。
【０１２９】
受信データ取得部７１１は、受信部７０１から受信データを取得し、これをメモリ７２０に書き込む。一例として、受信データ取得部７１１は、受信部７０１から注目度を取得し、これを注目度記憶部７２１に書き込む。
【０１３０】
注目度記憶部７２１は、受信データ取得部７１１によって取得された注目度を保存する。注目度記憶部７２１に保存された注目度は、プロセッサ７１０の種々の機能部、例えばランキング作成部７１２によって読み出される。なお、注目度は、例えば、所望の再生時刻、ゲスト識別子、ホスト識別子、および／または属性識別子をキーとして含んでいてもよく、所望のキーにマッチするものを選択的に読み出し可能であってもよい。
【０１３１】
ランキング作成部７１２は、ランキングの対象となる複数の展示対象の注目度を注目度記憶部７２１から読み出し、これに基づいて複数の展示対象に関わるランキングを作成する。ランキング作成部７１２は、作成したランキングをランキング記憶部７２３に書き込む。
【０１３２】
具体的には、ランキング作成部７１２は、注目度の降順に複数の展示対象を配列してランキングを作成し得る。なお、各展示対象の注目度が識別子毎に区別して注目度記憶部７２１に保存されている場合には、ランキング作成部７１２は、所望の識別子に対応する注目度を用いてランキングを作成してもよい。所望の識別子が複数の識別子の組み合わせである場合には、ランキング作成部７１２は、展示対象毎に、所望の識別子に関連付けられる注目度を読み出して合算するなどして、当該展示対象の注目度を統合してもよい。
【０１３３】
ランキング作成部７１２は、例えば注目度が上位の所定数の展示対象をランキングに含め、その他の展示対象をランキングに含めなくてもよい。また、ランキング作成部７１２は、例えば注目度が閾値以上であった展示対象をランキングに含め、その他の展示対象をランキングに含めなくてもよい。
【０１３４】
ランキング作成部７１２は、種々の観点のランキングを作成可能である。例えば、ランキング作成部７１２は、展示会の全日程に亘る全展示対象に関わるランキングを作成してもよいし、展示会の全日程に亘る一部の展示対象に関わるランキングを作成してもよいし、展示会の一部の日程に亘る全展示対象に関わるランキングを作成してもよいし、展示会の一部の日程に亘る一部の展示対象に関わるランキングを作成してもよい。さらに、ランキング作成部７１２は、例えばある属性識別子に関連付けられる注目度を注目度記憶部７２１から読み出し、読み出した注目度に基づいてこれらのランキングを作成してもよい。
【０１３５】
例えば、ランキング作成部７１２は、図１１に例示されるように複数の出展主体のランキングを作成してもよい。ここで、複数の展示対象、例えば、製品、見本品、ブース、などの各々は、複数の出展主体、例えば、企業、公的団体、個人、などのいずれかに関連付けられているとする。そして、展示対象と出展主体との関係を定義するデータが、例えばメモリ７２０に保存されており、ランキング作成部７１２はこのデータを参照可能であるとする。ランキング作成部７１２は、出展主体毎に当該出展主体に関連付けられる展示対象の注目度を合算して当該出展主体のスコアを算出し、このスコアの降順に複数の出展主体を配列して図１１のようなランキングを作成し得る。
【０１３６】
かかるランキングは、例えば各出展主体にとっては、自らの出展内容を見直す材料、競合の出展内容へのゲストの反応を分析する材料、ゲストの反応が良かった他の出展主体を分析する材料、などとなり得る。また、かかるランキングは、例えば展示会の主催者にとっては、各出展主体へのゲストの反応を分析する材料となり得る。さらに、かかるランキングは、ホストにとっては、これから訪ねるべき出展主体を決定する材料となり得る。例えば、ホストは、次に訪ねる出展主体の候補としてゲストの反応が良かった出展主体を追加できる。加えて、かかるランキングは、ゲストにとっては、ホストを選択する材料、またはホストに次に訪ねて欲しい出展主体を選択する材料となり得る。例えば、ゲストは、他のゲストの反応が良かった出展主体を特定し、当該出展主体やその近くの出展主体を撮影しているホストの映像を選択して視聴したり当該出展対象を訪れるようにホストに要求したりできる。
【０１３７】
また、例えば、ランキング作成部７１２は、図１２に例示されるように出展主体毎にその展示対象のランキングを作成してもよい。ランキング作成部７１２は、所望の出展主体に関連付けられる展示対象を、当該展示対象の注目度の降順に配列して図１２のようなランキングを作成し得る。
【０１３８】
かかるランキングは、例えば出展主体にとっては、自らの各展示対象へのゲストの反応を分析する材料となり得る。また、かかるランキングは、ホストにとっては、現在訪れている出展主体に関して、掘り下げる展示対象を決定する材料となり得る。例えば、ホストは、ゲストの反応が良かった展示対象について近接撮影を行ったり、ガイドに質問をしたり、説明文を読み上げたりしてゲストのニーズに応えることができる。加えて、かかるランキングは、ゲストにとっては、ホストに掘り下げて欲しい展示対象を選択する材料となり得る。例えば、ゲストはホストが現在訪ねている出展主体に関連付けられる展示対象のうち他のゲストの反応が良かった展示対象を特定し、当該展示対象を掘り下げるようにホストに要求できる。
【０１３９】
ランキング記憶部７２３は、ランキング作成部７１２によって作成されたランキングを保存する。ランキング記憶部７２３に保存されたランキングは、プロセッサ７１０の種々の機能部、例えばランキング報告部７１３によって読み出される。
【０１４０】
ランキング報告部７１３は、ランキング記憶部７２３からランキングを読み出し、これを注目度利活用クライアント６０に報告する。具体的には、ランキング報告部７１３は、ランキングを送信部７０２へ送り、送信部７０２はこのランキングをネットワーク経由で注目度利活用クライアント６０へ送信する。
【０１４１】
以下、図１３を用いて、注目度利活用サーバ５０の動作例を説明する。図１３の動作はステップＳ８０１から開始する。  
ステップＳ８０１において、受信部７０１は、注目度算出サーバ４０から注目度を受信するのを待ち受ける。受信部７０１が、注目度を受信すると処理はステップＳ８０２へ進む。他方、受信部７０１が注目度を受信する前に、ランキングの作成タイミングが到来すると処理はステップＳ８０５へと進む（ステップＳ８０４）。
【０１４２】
ここで、ランキングの作成タイミングは任意に定められ得る。例えば展示会の開催中にリアルタイムにランキングを作成する場合には、例えば、１分おき、１０分おき、１時間おき、などでランキングの作成タイミングが定められてもよい。或いは、例えば展示会の半日分、または１日分の日程の終了後、または展示会の全日程の終了後に、ランキングの作成タイミングが定められてもよい。
【０１４３】
ステップＳ８０２において、受信データ取得部７１１は、受信部７０１によって受信された注目度を取得する。そして、受信データ取得部７１１は、ステップＳ８０２において取得した注目度を注目度記憶部７２１に書き込み（ステップＳ８０３）、処理はステップＳ８０４へと進む。なお、ステップＳ８０３の後に、処理はステップＳ８０４の代わりにステップＳ８０１に戻ってもよい。
【０１４４】
ステップＳ８０５において、ランキング作成部７１２は、ステップＳ８０３において注目度記憶部７２１に保存された注目度に基づいて、複数の展示対象に関わるランキングを作成し、ランキング記憶部７２３に保存する。
【０１４５】
そして、ランキング報告部７１３は、ステップＳ８０５において作成されたランキングを、注目度利活用クライアント６０に報告し（ステップＳ８０６）、図１３の動作は終了する。
【０１４６】
なお、ステップＳ８０５およびステップＳ８０６は、必ずしも連続的に行われる必要はなく、例えばステップＳ８０５が複数回実行される毎に、または所定の周期で、ステップＳ８０６が実行されてもよい。この場合に、ステップＳ８０５の後に、処理は、ステップＳ８０６の代わりに、ステップＳ８０１に戻ってもよいし、ステップＳ８０４に戻ってもよい。
【０１４７】
以上説明したように、第１の実施形態に係る注目度利活用サーバは、ホストが展示会を撮影した映像データを共有するゲストの端末において取得された入力に基づいて算出された、展示会における複数の展示対象の注目度を取得し、これに基づいて、複数の展示対象に関わるランキングを作成する。故に、この注目度利活用サーバによれば、例えば展示会の出展主体または展示会の主催者などにこのランキングを有用なフィードバック情報として提供したり、ホストまたはゲストなどにこのランキングを行動決定の支援情報として提供したりすることができる。一例として、複数の人物による歌唱などを鑑賞するコンサートにおいて、ゲストの注目度に基づいてこれらの人物のランキングを作成してもよい。かかるランキングによれば、ゲストやこれらの人物のファンには自分のお気に入りの人物の順位を楽しむという娯楽を提供することができるし、これらの人物やその管理者、スポンサーなどには誰がどのくらい人気があるのかという評価を提供することができる。
【０１４８】
（第２の実施形態）  
第２の実施形態に係る注目度利活用サーバ５０は、注目度に基づいて例えばゲストに推薦する展示対象を抽出し、抽出した展示対象の関連情報を含むドキュメントを注目度加工情報として作成する。
【０１４９】
以降、第２の実施形態に係る注目度利活用サーバ５０の構成について詳しく説明する。この注目度利活用サーバ５０は、図１４に例示されるように、通信Ｉ／Ｆ  ９００と、プロセッサ９１０と、メモリ９２０とを含む。
【０１５０】
通信Ｉ／Ｆ  ９００、プロセッサ９１０、およびメモリ９２０はそれぞれ、図１０の通信Ｉ／Ｆ  ７００、プロセッサ７１０、およびメモリ７２０と同様のハードウェアであり得る。
【０１５１】
プロセッサ９１０は、メモリ９２０に保存されたプログラムを実行することで、図１４の受信データ取得部９１１、報告対象抽出部９１２、ドキュメント作成部９１３、およびドキュメント報告部９１４として機能し得る。また、メモリ９２０は、図１４の注目度記憶部９２１、報告対象データ記憶部９２２、展示対象関連情報記憶部９２３、およびドキュメント記憶部９２４を含み得る。
【０１５２】
通信Ｉ／Ｆ９００は、外部装置から種々のデータをネットワーク経由で受信する受信部９０１と、外部装置へ種々のデータをネットワーク経由で送信する送信部９０２とを含む。受信部９０１は、注目度算出サーバ４０から注目度を受信し、これを受信データ取得部９１１へ送る。受信部９０１は、例えば展示会の出展主体または展示会の主催者などのコンピュータ（例えば、図示されないサーバコンピュータ）から、展示会の複数の展示対象のうちの一部または全部の関連情報を受信した場合には、これを受信データ取得部９１１へ送ってもよい。なお、展示対象の関連情報は必ずしも外部装置から受信する必要はなく、展示対象関連情報記憶部９２３に予め保存されていてもよい。また、送信部９０２は、ドキュメント報告部９１４からドキュメントを受け取り、これを注目度利活用クライアント６０へ送信する。
【０１５３】
受信データ取得部９１１は、受信部９０１から受信データを取得し、これをメモリ９２０に書き込む。一例として、受信データ取得部９１１は、受信部９０１から注目度を取得し、これを注目度記憶部９２１に書き込む。また、受信データ取得部９１１は、受信部９０１から展示会の複数の展示対象のうちの一部または全部の関連情報を取得し、これを展示対象関連情報記憶部９２３に書き込んでもよい。
【０１５４】
注目度記憶部９２１は、受信データ取得部９１１によって取得された注目度を保存する。注目度記憶部９２１に保存された注目度は、プロセッサ９１０の種々の機能部、例えば報告対象抽出部９１２によって読み出される。なお、注目度は、例えば、所望の再生時刻、ゲスト識別子、ホスト識別子、および／または属性識別子をキーとして含んでいてもよく、所望のキーにマッチするものを選択的に読み出し可能であってもよい。
【０１５５】
報告対象抽出部９１２は、複数の展示対象の注目度を注目度記憶部９２１から読み出し、これに基づいて、少なくともこれらの展示対象のうちの少なくとも１つを報告対象群として当該複数の展示対象から抽出する。報告対象抽出部９１２は、抽出した報告対象群に属する展示対象を識別する展示対象識別子を含む報告対象データを生成し、これを報告対象データ記憶部９２２に書き込む。
【０１５６】
なお、各展示対象の注目度が識別子毎に区別して注目度記憶部９２１に保存されている場合には、報告対象抽出部９１２は、所望の識別子に対応する注目度を用いて報告対象群を抽出してもよい。所望の識別子が複数の識別子の組み合わせである場合には、報告対象抽出部９１２は、展示対象毎に、所望の識別子に関連付けられる注目度を読み出して合算するなどして、当該展示対象の注目度を統合してもよい。
【０１５７】
一例として、報告対象抽出部９１２は、あるゲスト識別子を含む注目度を注目度記憶部９２１から読み出し、例えば注目度が上位の所定数の展示対象を報告対象群として抽出してもよいし、例えば注目度が閾値以上であった展示対象を報告対象群として抽出してもよい。このように抽出された報告対象群には、当該ゲスト識別子によって識別されるゲストが展示会において強い興味・関心を示した展示対象が含まれる可能性が高い。
【０１５８】
また、報告対象抽出部９１２は、ある属性識別子を含む注目度を注目度記憶部９２１から読み出し、例えば注目度が上位の所定数の展示対象を報告対象群として抽出してもよいし、例えば注目度が閾値以上であった展示対象を報告対象群として抽出してもよい。このように抽出された報告対象群には、当該属性識別子によって識別される属性値を持つゲスト群が展示会において強い興味・関心を示した展示対象が含まれる可能性が高い。
【０１５９】
報告対象データ記憶部９２２は、報告対象抽出部９１２によって生成された報告対象データを保存する。例えば、報告対象データは、その対応するゲスト識別子、属性識別子、などが存在する場合には、当該識別子を含み得る。報告対象データ記憶部９２２に保存された報告対象データは、プロセッサ９１０の種々の機能部、例えばドキュメント作成部９１３によって読み出される。
【０１６０】
展示対象関連情報記憶部９２３は、複数の展示対象に関する関連情報を保存する。例えば、関連情報は、その対応する展示対象を識別する展示対象識別子に関連付けられる。関連情報は、例えば、展示対象に関する映像、画像（静止画）、テキスト、などの一部または全部を含み得る。具体的には、関連情報は、展示対象のプロモーション映像、写真、展示対象の説明文、スペック情報、価格、発売日、などであり得る。関連情報は、展示対象関連情報記憶部９２３に予め保存しておいてもよいし、外部装置からネットワークを介して登録／更新可能としてもよい。展示対象関連情報記憶部９２３に保存された関連情報は、プロセッサ９１０の種々の機能部、例えばドキュメント作成部９１３によって読み出される。
【０１６１】
ドキュメント作成部９１３は、報告対象データ記憶部９２２から報告対象データを読み出し、当該報告対象データに含まれる展示対象識別子をキーとして展示対象関連情報記憶部９２３から報告対象群の関連情報を読み出す。なお、報告対象データが何らかの識別子を含む場合には、ドキュメント作成部９１３は所望の識別子をキーとして報告対象データを読み出し得る。ドキュメント作成部９１３は、読み出した関連情報を掲載したドキュメントの少なくとも一部を含むドキュメントを作成する。
【０１６２】
具体的には、ドキュメント作成部９１３は、読み出した関連情報の一部または全部を、必要に応じて加工してドキュメントを作成し得る。例えば、注目度の高い展示対象の関連情報をその視認性が向上するように、ドキュメントの上部に掲載したり、掲載する画像を大きくしたり増やしたりしてもよい。また、ドキュメントに関わる例えば、文字数、データ容量、レイアウト、などの制限をクリアするために、ドキュメント作成部９１３は、読み出した関連情報の一部をドキュメントに含めなくてもよい。
【０１６３】
ドキュメントは、例えば、ドキュメントファイル、電子メール、Ｗｅｂページ、ＳＮＳ（Ｓｏｃｉａｌ  Ｎｅｔｗｏｒｋｉｎｇ  Ｓｅｒｖｉｃｅ）の投稿データ、またはＤＭ（Ｄｉｒｅｃｔ  Ｍａｉｌ）、広告、もしくは記事などの入稿データであってもよいし、これらの草稿データであってもよい。ドキュメントとして草稿データを提供することで、人間による最終的な手直しを可能としつつ、人間が一からドキュメントを作成する場合に比べてその手間を軽減できる。
【０１６４】
例えば、あるゲスト識別子を含む報告対象データに基づいて作成したドキュメントは、当該ゲスト識別子によって識別されるゲストの個人的な興味・関心に合致したピンポイントな販促用のドキュメントとなり得る。
【０１６５】
また、ある属性識別子を含む報告対象データに基づいて作成したドキュメントは、当該属性値によって識別される属性値を持つゲスト群の統計的な興味・関心に合致した有用な販促用のドキュメントとなり得る。例えば、あるゲストが視聴していた映像に映らなかった展示対象、または当該ゲストが見落とした展示対象であっても、当該ゲストと（部分的に）同じ属性値を持つゲスト群が当該展示対象に強い興味・関心を示していれば、当該展示対象を当該ゲストに気に入る可能性の高い展示対象として推薦することができる。さらに、かかるドキュメントは、展示会の関係者でない人物を対象に広く提供されてもよい。あるゲスト群が強い興味・関心を示した展示対象の関連情報を掲載したドキュメントをＷｅｂページ、広告、記事などの形で公表することで、当該ゲスト群と同じ属性値を持つ（潜在）需要者の興味・関心を惹き付けられる可能性がある。
【０１６６】
ドキュメント作成部９１３は、作成したドキュメントをドキュメント記憶部９２４に書き込む。なお、報告対象データの読み出し時に何らかの識別子をキーとして用いた場合には、ドキュメント作成部９１３は当該識別子をドキュメントに含めてもよい。
【０１６７】
ドキュメント記憶部９２４は、ドキュメント作成部９１３によって作成されたドキュメントを保存する。ドキュメント記憶部９２４に保存されたドキュメントは、プロセッサ９１０の種々の機能部、例えばドキュメント報告部９１４によって読み出される。なお、ドキュメントは、例えば、ゲスト識別子、属性識別子、などをキーとして含んでいてもよく、所望のキーにマッチするものを選択的に読み出し可能であってもよい。
【０１６８】
ドキュメント報告部９１４は、ドキュメント記憶部９２４からドキュメントを読み出し、これを注目度利活用クライアント６０に報告する。具体的には、ドキュメント報告部９１４は、ドキュメントを送信部９０２へ送り、送信部９０２はこのドキュメントをネットワーク経由で注目度利活用クライアント６０へ送信する。
【０１６９】
以下、図１５を用いて、注目度利活用サーバ５０の動作例を説明する。図１５の動作はステップＳ１００１から開始する。  
ステップＳ１００１において、受信部９０１は、注目度算出サーバ４０から注目度を受信するのを待ち受ける。受信部９０１が、注目度を受信すると処理はステップＳ１００２へ進む。他方、受信部９０１が注目度を受信する前に、ドキュメントの作成タイミングが到来すると処理はステップＳ１００５へと進む（ステップＳ１００４）。
【０１７０】
ここで、ドキュメントの作成タイミングは任意に定められ得る。例えば展示会の半日分、または１日分の日程の終了後、または展示会の全日程の終了後に、ドキュメントの作成タイミングが定められてもよい。
【０１７１】
ステップＳ１００２において、受信データ取得部９１１は、受信部９０１によって受信された注目度を取得する。そして、受信データ取得部９１１は、ステップＳ１００２において取得した注目度を注目度記憶部９２１に書き込み（ステップＳ１００３）、処理はステップＳ１００４へと進む。なお、ステップＳ１００３の後に、処理はステップＳ１００４の代わりにステップＳ１００１に戻ってもよい。
【０１７２】
ステップＳ１００５において、報告対象抽出部９１２は、ステップＳ１００３において注目度記憶部９２１に保存された注目度に基づいて、報告対象群を複数の展示対象から抽出して報告対象データを生成し、これを報告対象データ記憶部９２２に書き込む。
【０１７３】
そして、ドキュメント作成部９１３は、ステップＳ１００５において生成された報告対象データの示す報告対象群に属する展示対象の関連情報を展示対象関連情報記憶部９２３から読み出す（ステップＳ１００６）。
【０１７４】
なお、ステップＳ１００５およびステップＳ１００６は、必ずしも連続的に行われる必要はなく、例えばステップＳ１００５が複数回実行される毎に、または所定の周期で、ステップＳ１００６が実行されてもよい。この場合に、ステップＳ１００５の後に、処理は、ステップＳ１００６の代わりに、ステップＳ１００５に再び戻ってもよい。
【０１７５】
ドキュメント作成部９１３は、ステップＳ１００６において読み出した関連情報に基づいて、報告対象群に属する展示対象の関連情報を掲載したドキュメントを作成し、ドキュメント記憶部９２４に保存する（ステップＳ１００７）。
【０１７６】
そして、ドキュメント報告部９１４は、ステップＳ１００７において作成されたドキュメントを、注目度利活用クライアント６０に報告し（ステップＳ１００８）、図１５の動作は終了する。
【０１７７】
なお、ステップＳ１００７およびステップＳ１００８は、必ずしも連続的に行われる必要はなく、例えばステップＳ１００７が複数回実行される毎に、または所定の周期で、ステップＳ１００８が実行されてもよい。この場合に、ステップＳ１００７の後に、処理は、ステップＳ１００８の代わりに、ステップＳ１００１に戻ってもよいし、ステップＳ１００４に戻ってもよい。
【０１７８】
以上説明したように、第２の実施形態に係る注目度利活用サーバは、ホストが展示会を撮影した映像データを共有するゲストの端末において取得された入力に基づいて算出された、展示会における複数の展示対象の注目度を取得し、これに基づいて、複数の展示対象の少なくとも一部を報告対象群として抽出し、この報告対象群の関連情報を掲載したドキュメントを作成する。故に、この注目度利活用サーバによれば、例えばゲスト個人に対して当人の興味・関心に合致したピンポイントな販促用ドキュメントを提供したり、同じ属性値を持つゲスト群の統計的な興味・関心に合致した販促用ドキュメントを当該ゲスト群、および／または展示会の関係者でない（潜在）需要者に提供したりすることができる。一例として、複数の人物による歌唱などを鑑賞するコンサートにおいて、ゲスト個人が興味・関心を強く惹かれた人物を当該ゲストの注目度に基づいて特定し、当該人物からのメッセージを含むドキュメントを当該ゲストへ送付することもできる。
【０１７９】
（第３の実施形態）  
第３の実施形態に係る注目度利活用サーバ５０は、注目度に基づいてゲストがホストに撮影を望んでいる展示対象群を抽出し、抽出した展示対象群の撮影をホストに要求する。
【０１８０】
以降、第３の実施形態に係る注目度利活用サーバ５０の構成について詳しく説明する。この注目度利活用サーバ５０は、図１６に例示されるように、通信Ｉ／Ｆ  １１００と、プロセッサ１１１０と、メモリ１１２０とを含む。
【０１８１】
通信Ｉ／Ｆ  １１００、プロセッサ１１１０、およびメモリ１１２０はそれぞれ、図１０の通信Ｉ／Ｆ  ７００、プロセッサ７１０、およびメモリ７２０と同様のハードウェアであり得る。
【０１８２】
プロセッサ１１１０は、メモリ１１２０に保存されたプログラムを実行することで、図１６の受信データ取得部１１１１、撮影対象抽出部１１１２、要求データ生成部１１１３、および要求データ通知部１１１４として機能し得る。また、メモリ１１２０は、図１６の注目度記憶部１１２１、撮影対象データ記憶部１１２２、および要求データ記憶部１１２３を含み得る。
【０１８３】
通信Ｉ／Ｆ  １１００は、外部装置から種々のデータをネットワーク経由で受信する受信部１１０１と、外部装置へ種々のデータをネットワーク経由で送信する送信部１１０２とを含む。受信部１１０１は、注目度算出サーバ４０から注目度を受信し、これを受信データ取得部１１１１へ送る。また、送信部１１０２は、要求データ通知部１１１４から要求データを受け取り、これを注目度利活用クライアント６０へ送信する。なお、第３の実施形態において、注目度利活用クライアント６０は、ホスト端末１０と同一であり得る。
【０１８４】
受信データ取得部１１１１は、受信部１１０１から受信データを取得し、これをメモリ１１２０に書き込む。一例として、受信データ取得部１１１１は、受信部１１０１から注目度を取得し、これを注目度記憶部１１２１に書き込む。
【０１８５】
注目度記憶部１１２１は、受信データ取得部１１１１によって取得された注目度を保存する。注目度記憶部１１２１に保存された注目度は、プロセッサ１１１０の種々の機能部、例えば撮影対象抽出部１１１２によって読み出される。なお、注目度は、例えば、所望の再生時刻、ゲスト識別子、ホスト識別子、および／または属性識別子をキーとして含んでいてもよく、所望のキーにマッチするものを選択的に読み出し可能であってもよい。
【０１８６】
撮影対象抽出部１１１２は、複数の展示対象の注目度を注目度記憶部１１２１から読み出し、これに基づいて、少なくともこれらの展示対象のうちの少なくとも１つを撮影対象群として当該複数の展示対象から抽出する。撮影対象抽出部１１１２は、抽出した撮影対象群に属する展示対象を識別する展示対象識別子を含む撮影対象データを生成し、これを撮影対象データ記憶部１１２２に書き込む。
【０１８７】
なお、各展示対象の注目度が識別子毎に区別して注目度記憶部１１２１に保存されている場合には、撮影対象抽出部１１１２は、所望の識別子に対応する注目度を用いて撮影対象群を抽出してもよい。所望の識別子が複数の識別子の組み合わせである場合には、撮影対象抽出部１１１２は、展示対象毎に、所望の識別子に関連付けられる注目度を読み出して合算するなどして、当該展示対象の注目度を統合してもよい。
【０１８８】
一例として、撮影対象抽出部１１１２は、あるホスト識別子を含む注目度を注目度記憶部１１２１から読み出し、例えば注目度が上位の所定数の展示対象を撮影対象群として抽出してもよいし、例えば注目度が閾値以上であった展示対象を撮影対象群として抽出してもよい。このように抽出された撮影対象群には、当該ホスト識別子によって識別されるホストの映像を視聴するゲストが展示会において強い興味・関心を示した展示対象が含まれる可能性が高い。
【０１８９】
また、撮影対象抽出部１１１２は、あるホスト識別子および属性識別子を含む注目度を注目度記憶部１１２１から読み出し、例えば注目度が上位の所定数の展示対象を撮影対象群として抽出してもよいし、例えば注目度が閾値以上であった展示対象を撮影対象群として抽出してもよい。このように抽出された撮影対象群には、当該ホスト識別子によって識別される映像を視聴するゲストのうち当該属性識別子によって識別される属性値を持つゲストが展示会において強い興味・関心を示した展示対象が含まれる可能性が高い。
【０１９０】
撮影対象データ記憶部１１２２は、撮影対象抽出部１１１２によって生成された撮影対象データを保存する。例えば、撮影対象データは、その対応するホスト識別子、属性識別子、などが存在する場合には、当該識別子を含み得る。撮影対象データ記憶部１１２２に保存された撮影対象データは、プロセッサ１１１０の種々の機能部、例えば要求データ生成部１１１３によって読み出される。
【０１９１】
要求データ生成部１１１３は、撮影対象データ記憶部１１２２から撮影対象データを読み出す。なお、撮影対象データが何らかの識別子を含む場合には、要求データ生成部１１１３は所望の識別子をキーとして撮影対象データを読み出し得る。
【０１９２】
要求データ生成部１１１３は、読み出した撮影対象データに基づいて要求データを生成する。要求データは、例えば、注目度利活用クライアント６０が提示すべきメッセージを表すテキスト、画像もしくは音声データであってもよいし、かかるデータを特定するデータ（インデックス等）であってもよい。メッセージは、例えば、「このブースをもっと撮影して」、「展示物○○をもっと掘り下げて」、「別のブースに行って」、「△△のブースに行って」、などであり得る。注目度利活用クライアント６０は、このようなメッセージをテキストまたは画像として表示したり、音声として出力したりすることで、ホストに行動決定の支援情報、例えばこのまま同じブースの撮影を続けた方がよいか次のブースに行った方がよいか、どの展示物を掘り下げるべきか、どのブースへ行くべきか、などを提供することができる。
【０１９３】
例えば、ホストに自らの映像を視聴するゲストの注目度に基づくメッセージを提示することで、当該ホストは自らの映像の視聴者の総合的なニーズに合致した展示対象や出展主体を的確に把握し、視聴者の満足度向上に努めることができる。また、ホストに自らの映像を視聴するゲストのうち特定の属性値を持つゲスト群、一例として当該ホストに対する課金に応じたゲスト群、の注目度に基づくメッセージを提示することで、当該ホストは自らの映像の視聴者のうち特定の視聴者層のニーズに合致した展示対象や出展主体を的確に把握し、当該視聴者層の満足度向上に努めることができる。さらに、ホストに複数のホストに亘るゲストの注目度に基づく要求データに基づくメッセージを提示することで、当該ホストは展示会におけるトレンドとなる展示対象や出展主体を的確に把握し、現在の視聴者の満足度向上や、新たな視聴者の開拓に努めることができる。
【０１９４】
或いは、ホストは、人間に限らず、例えば移動式のカメラロボットなどの移動手段および撮影手段を備えた機械であってもよい。この場合に、要求データは、ホストの移動先および／または映像データのアングルの決定を支援するための制御データとして用いられ得る。
【０１９５】
要求データ生成部１１１３は、生成した要求データを要求データ記憶部１１２３に書き込む。なお、要求データ生成部１１１３は、ホスト別に要求データを生成した場合には、対応するホストを識別するホスト識別子を要求データに含めてもよい。
【０１９６】
要求データ記憶部１１２３は、要求データ生成部１１１３によって生成された要求データを保存する。要求データ記憶部１１２３に保存された要求データは、プロセッサ１１１０の種々の機能部、例えば要求データ通知部１１１４によって読み出される。なお、要求データは、例えばホスト識別子をキーとして含んでいてもよく、所望のキーにマッチするものを選択的に読み出し可能であってもよい。
【０１９７】
要求データ通知部１１１４は、要求データ記憶部１１２３から要求データを読み出し、これを注目度利活用クライアント６０に通知する。具体的には、要求データ通知部１１１４は、要求データを送信部１１０２へ送り、送信部１１０２はこの要求データをネットワーク経由で注目度利活用クライアント６０へ送信する。
【０１９８】
以下、図１７を用いて、注目度利活用サーバ５０の動作例を説明する。図１７の動作はステップＳ１２０１から開始する。  
ステップＳ１２０１において、受信部１１０１は、注目度算出サーバ４０から注目度を受信するのを待ち受ける。受信部１１０１が、注目度を受信すると処理はステップＳ１２０２へ進む。他方、受信部１１０１が注目度を受信する前に、要求データの生成タイミングが到来すると処理はステップＳ１２０５へと進む（ステップＳ１２０４）。
【０１９９】
ここで、要求データの生成タイミングは任意に定められ得る。例えば展示会の開催中にリアルタイムに、例えば、１分おき、１０分おき、１時間おき、などで要求データの生成タイミングが定められてもよい。
【０２００】
ステップＳ１２０２において、受信データ取得部１１１１は、受信部１１０１によって受信された注目度を取得する。そして、受信データ取得部１１１１は、ステップＳ１２０２において取得した注目度を注目度記憶部１１２１に書き込み（ステップＳ１２０３）、処理はステップＳ１２０４へと進む。なお、ステップＳ１２０３の後に、処理はステップＳ１２０４の代わりにステップＳ１２０１に戻ってもよい。
【０２０１】
ステップＳ１２０５において、撮影対象抽出部１１１２は、ステップＳ１２０３において注目度記憶部１１２１に保存された注目度に基づいて、撮影対象群を複数の展示対象から抽出して撮影対象データを生成し、これを撮影対象データ記憶部１１２２に書き込む。
【０２０２】
そして、要求データ生成部１１１３は、ステップＳ１２０５において生成した撮影対象データに基づいて、撮影対象群に属する展示対象の撮影をホストに要求する要求データを生成し、要求データ記憶部１１２３に保存する（ステップＳ１２０６）。
【０２０３】
なお、ステップＳ１２０５およびステップＳ１２０６は、必ずしも連続的に行われる必要はなく、例えばステップＳ１２０５が複数回実行される毎に、または所定の周期で、ステップＳ１２０６が実行されてもよい。この場合に、ステップＳ１２０５の後に、処理は、ステップＳ１２０６の代わりに、ステップＳ１２０５に再び戻ってもよい。
【０２０４】
そして、要求データ通知部１１１４は、ステップＳ１２０６において生成された要求データを、注目度利活用クライアント６０に通知し（ステップＳ１２０７）、図１７の動作は終了する。
【０２０５】
なお、ステップＳ１２０６およびステップＳ１２０７は、必ずしも連続的に行われる必要はなく、例えばステップＳ１２０６が複数回実行される毎に、または所定の周期で、ステップＳ１２０７が実行されてもよい。この場合に、ステップＳ１２０６の後に、処理は、ステップＳ１２０７の代わりに、ステップＳ１２０１に戻ってもよいし、ステップＳ１２０４に戻ってもよい。
【０２０６】
以上説明したように、第３の実施形態に係る注目度利活用サーバは、ホストが展示会を撮影した映像データを共有するゲストの端末において取得された入力に基づいて算出された、展示会における複数の展示対象の注目度を取得し、これに基づいて、複数の展示対象の少なくとも一部を撮影対象群として抽出し、この撮影対象群の撮影をホストに要求する要求データを生成する。故に、この注目度利活用サーバによれば、ホストに行動決定の支援情報、例えばこのまま同じブースの撮影を続けた方がよいか次のブースに行った方がよいか、どの展示物を掘り下げるべきか、どのブースへ行くべきか、などを提供することができる。一例として、複数の人物による歌唱などを鑑賞するコンサートにおいて、人気の高い人物をゲストの注目度に基づいて特定し、ホストに、どの人物をメインに撮影すべきか、などの行動決定の支援情報を提供することができる。
【０２０７】
（変形例）  
実施形態の説明では、注目度利活用サーバおよび注目度利活用クライアントを分離した装置としたが、注目度利活用クライアントが注目度利活用サーバの機能の一部または全部を有していてもよい。例えば、注目度利活用クライアントが、注目度算出サーバから注目度を収集し、注目度に基づいて注目度加工情報を生成し、注目度加工情報を出力してもよい。注目度利活用サーバ、注目度利活用クライアント、などの注目度を利活用する装置を注目度利活用装置と呼ぶことができる。
【０２０８】
実施形態の説明では、注目度算出サーバが注目度を算出することとしたが、ゲスト端末または他のコンピュータなどが注目度を算出してもよい。注目度算出サーバ、ゲスト端末、などの注目度を算出する装置を注目度算出装置と呼ぶことができる。また、注目度の算出と、注目対象の特定とは異なる装置によって行われてもよい。
【０２０９】
上述の実施形態は、本発明の概念の理解を助けるための具体例を示しているに過ぎず、本発明の範囲を限定することを意図されていない。実施形態は、本発明の要旨を逸脱しない範囲で、様々な構成要素の付加、削除または転換をすることができる。
【０２１０】
上述の実施形態では、いくつかの機能部を説明したが、これらは各機能部の実装の一例に過ぎない。例えば、１つの装置に実装されると説明された複数の機能部が複数の別々の装置に亘って実装されることもあり得るし、逆に複数の別々の装置に亘って実装されると説明された機能部が１つの装置に実装されることもあり得る。
【０２１１】
上記各実施形態において説明された種々の機能部は、回路を用いることで実現されてもよい。回路は、特定の機能を実現する専用回路であってもよいし、プロセッサのような汎用回路であってもよい。
【０２１２】
上記各実施形態の処理の少なくとも一部は、例えば汎用のコンピュータに搭載されたプロセッサを基本ハードウェアとして用いることでも実現可能である。上記処理を実現するプログラムは、コンピュータで読み取り可能な記録媒体に格納して提供されてもよい。プログラムは、インストール可能な形式のファイルまたは実行可能な形式のファイルとして記録媒体に記憶される。記録媒体としては、磁気ディスク、光ディスク（ＣＤ−ＲＯＭ、ＣＤ−Ｒ、ＤＶＤ等）、光磁気ディスク（ＭＯ等）、半導体メモリなどである。記録媒体は、プログラムを記憶でき、かつ、コンピュータが読み取り可能であれば、何れであってもよい。また、上記処理を実現するプログラムを、インターネットなどのネットワークに接続されたコンピュータ（サーバ）上に格納し、ネットワーク経由でコンピュータ（クライアント）にダウンロードさせてもよい。
【符号の説明】
【０２１３】
１０・・・ホスト端末
２０・・・映像配信サーバ
３０，３０−１，３０−２・・・ゲスト端末
４０・・・注目度算出サーバ
５０・・・注目度利活用サーバ
６０・・・注目度利活用クライアント
１００，２００，７００，９００，１１００・・・通信Ｉ／Ｆ
１０１，２０１，７０１，９０１，１１０１・・・受信部
１０２，２０２，７０２，９０２，１１０２・・・送信部
１１０，２１０，７１０，９１０，１１１０・・・プロセッサ
１１１，２１１，７１１，９１１，１１１１・・・受信データ取得部
１１２・・・デコーダ
１１３・・・映像出力部
１１４・・・入力データ取得部
１１５・・・視聴行動データ生成部
１１６・・・視聴行動報告部
１２０，２２０，７２０，９２０，１１２０・・・メモリ
１２１・・・映像データ記憶部
１２２，２２１・・・視聴行動データ記憶部
１２３・・・入力データ記憶部
１３０・・・出力装置
１４０・・・入力装置
２１２・・・注目対象特定部
２１３・・・注目度算出部
２１４・・・注目度報告部
２２２，７２１，９２１，１１２１・・・注目度記憶部
２２３・・・注目対象データ記憶部
３０１，３０２・・・ブース
３０１−１，３０１−２，３０１−３，３０２−１・・・展示物
４０１，４０２・・・ＧＵＩ部品
５０１・・・ホストの位置
５０２・・・ゲストの視野範囲
７１２・・・ランキング作成部
７１３・・・ランキング報告部
７２３・・・ランキング記憶部
９１２・・・報告対象抽出部
９１３・・・ドキュメント作成部
９１４・・・ドキュメント報告部
９２２・・・報告対象データ記憶部
９２３・・・展示対象関連情報記憶部
９２４・・・ドキュメント記憶部
１１１２・・・撮影対象抽出部
１１１３・・・要求データ生成部
１１１４・・・要求データ通知部
１１２２・・・撮影対象データ記憶部
１１２３・・・要求データ記憶部
【図１】
2020150520.tif 000003
【図２】
2020150520.tif 000004
【図３】
2020150520.tif 000005
【図４】
2020150520.tif 000006
【図５】
2020150520.tif 000007
【図６】
2020150520.tif 000008
【図７】
2020150520.tif 000009
【図８】
2020150520.tif 000010
【図９】
2020150520.tif 000011
【図１０】
2020150520.tif 000012
【図１１】
2020150520.tif 000013
【図１２】
2020150520.tif 000014
【図１３】
2020150520.tif 000015
【図１４】
2020150520.tif 000016
【図１５】
2020150520.tif 000017
【図１６】
2020150520.tif 000018
【図１７】
2020150520.tif 000019